(57)【要約】【課題】      ケースに収納してある商品を取り出すと、ブザーが鳴って盗難を知らせるようにする。【解決手段】  周囲の一面に商品の出し入れ用の開口１を有するケースＫと、このケースに上記開口から前記開口の反対方向に設けたガイド手段Ｂと、このガイド手段により案内されてスライドするように挿入した挿入部材４と、この挿入部材の上記開口側端に上記商品の抜き取りを阻止するように設けたストッパ６と、上記ケース或いはガイド手段と挿入部材との対向面に前記挿入部材の挿入終了にともない前記挿入部材の脱出方向のスライドを止めるように設けた係止手段Ｃとからなる盗難防止装置において、上記挿入部材に電源を保持する警報ブザー２２及び前記警報ブザーのＯＮ、ＯＦＦスイッチ２３を設け、このスイッチの釦２４の作用片２５を上記ケース内の商品により押し戻して上記スイッチをＯＦＦの状態になるように前記ケース内に臨ませた構成を採用する。【選択図】    図１
2007141198.tif 000002
【特許請求の範囲】
【請求項１】
周囲の一面に商品の出し入れ用の開口を有するケースと、このケースに上記開口から前記開口の反対方向に設けた挿入路としてのガイド手段と、このガイド手段により案内されてスライドするように挿入した挿入部材と、この挿入部材の上記開口側端に上記商品の抜き取りを阻止するように設けたストッパと、上記ケース或いはガイド手段と挿入部材との対向面に前記挿入部材の挿入終了にともない前記挿入部材の脱出方向のスライドを止めるように設けた係止手段とからなる盗難防止装置において、上記挿入部材に電源を保持する警報ブザー及び前記警報ブザーのＯＮ、ＯＦＦスイッチを設け、このスイッチの釦の作用片を上記ケース内の商品により押し戻して上記スイッチをＯＦＦの状態になるように前記ケース内に臨ませたことを特徴とする盗難防止装置。
【請求項２】
周囲の一面に商品の出し入れ用の開口を有するケースと、このケースに上記開口から前記開口の反対方向に設けた挿入路としてのガイド手段と、このガイド手段により案内されてスライドするように挿入した挿入部材と、この挿入部材の上記開口側端に上記商品の抜き取りを阻止するように設けたストッパと、上記ケース或いはガイド手段と挿入部材との対向面に前記挿入部材の挿入終了にともない前記挿入部材の脱出方向のスライドを止めるように設けた係止手段とからなる盗難防止装置において、上記ガイド手段の所定位置に電源を保持する警報ブザー及び前記警報ブザーのＯＮ、ＯＦＦスイッチを設け、このスイッチの釦の作用片を上記挿入部材の挿入終了にともないプッシュして上記スイッチをＯＦＦの状態になるよう位置させたことを特徴とする盗難防止装置。
【請求項３】
箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてある挿入路としてのガイド手段により案内される挿入部材を挿入すると共に、この挿入部材と上記箱体及び蓋体とに掛合関係によって上記陳列ケースの開放阻止の掛合手段を設け、上記挿入部材と陳列ケースとに前記挿入部材の挿入終了にともない係合関係になって挿入部材の抜き取り阻止の係止手段を設けた盗難防止装置において、上記挿入部材に電源を保持する警報ブザー及び前記警報ブザーのＯＮ、ＯＦＦスイッチを設け、このスイッチの釦の作用片を上記陳列ケース内の盗難防止対象物により押し戻して上記スイッチをＯＦＦの状態になるように前記陳列ケース内に臨ませたことを特徴とする盗難防止装置。
【請求項４】
周囲の一面に商品の出し入れ用の開口を有するケースと、このケースに上記開口から前記開口の反対方向に設けた挿入路としてのガイド手段と、このガイド手段により案内されてスライドするように挿入した挿入部材と、この挿入部材の上記開口側端に上記商品の抜き取りを阻止するように設けたストッパと、上記ケース或いはガイド手段と挿入部材との対向面に前記挿入部材の挿入終了にともない前記挿入部材の脱出方向のスライドを止めるように設けた係止手段とからなる盗難防止装置において、上記挿入部材に電源を保持する警報ブザー及び前記警報ブザーのＯＮ、ＯＦＦスイッチを設け、このスイッチの釦を上記ケース内の商品により押し戻して上記スイッチをＯＦＦの状態になるように前記ケース内に臨ませたことを特徴とする盗難防止装置。
【請求項５】
箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてある挿入路としてのガイド手段により案内される挿入部材を挿入すると共に、この挿入部材と上記箱体及び蓋体とに掛合関係によって上記陳列ケースの開放阻止の掛合手段を設け、上記挿入部材と陳列ケースとに前記挿入部材の挿入終了にともない係合関係になって挿入部材の抜き取り阻止の係止手段を設けた盗難防止装置において、上記挿入部材に電源を保持する警報ブザー及び前記警報ブザーのＯＮ、ＯＦＦスイッチを設け、このスイッチの釦を上記陳列ケース内の盗難防止対象物により押し戻して上記スイッチをＯＦＦの状態になるように前記陳列ケース内に臨ませたことを特徴とする盗難防止装置。
【請求項６】
前記挿入部材に盗難防止タグを設けたことを特徴とする請求項１、２、３、４又は５に記載の盗難防止装置。
【請求項７】
周囲の一面に商品の出し入れ用の開口を有するケースと、このケースに上記開口から前記開口の反対方向に設けた挿入路としてのガイド手段と、このガイド手段により案内されてスライドするように設けた挿入部材と、この挿入部材の上記開口側端に上記商品の抜き取りを阻止するように設けたストッパと、上記ケース或いはガイド手段と挿入部材との対向面に前記挿入部材の挿入終了にともない係止関係になって上記挿入部材の抜き取り方向のスライドを止めるように設けた係止手段とからなる盗難防止装置において、上記の係止手段が、挿入部材の所要面に前記挿入部材の挿入にともない押し戻されるように設けた所要数の磁吸されない係止爪と、上記ケースの上記係止爪に対向する壁に前記係止爪が嵌り込んで係止関係になるように設けた貫通孔とで構成したことを特徴とする盗難防止装置。
【請求項８】
周囲の一面に商品の出し入れ用の開口を有するケースと、このケースに上記開口から前記開口の反対方向に設けた挿入路としてのガイド手段と、このガイド手段により案内されてスライドするように設けた挿入部材と、この挿入部材の上記開口側端に上記商品の抜き取りを阻止するように設けたストッパと、上記ケース或いはガイド手段と挿入部材との対向面に前記挿入部材の挿入終了にともない係止関係になって上記挿入部材の抜き取り方向のスライドを止めるように設けた係止手段とからなる盗難防止装置において、上記の係止手段が、上記挿入部材の所要面に前記挿入部材の挿入にともない押し戻されるように設けた磁吸されない係止爪及び磁吸される係止爪と、上記ケースの上記磁吸されない係止爪に対向する壁に前記磁吸されない係止爪が嵌り込んで係止関係になる貫通孔及びケースの磁吸される係止爪が係止する係合部とで構成したことを特徴とする盗難防止装置。
【請求項９】
周囲の一面に商品の出し入れ用の開口を有するケースと、このケースに上記開口から前記開口の反対方向に設けた挿入路としてのガイド手段と、このガイド手段により案内されてスライドするように設けた挿入部材と、この挿入部材の上記開口側端に上記商品の抜き取りを阻止するように設けたストッパと、上記ケース或いはガイド手段と挿入部材との対向面に前記挿入部材の挿入終了にともない係止関係になって上記挿入部材の抜き取り方向のスライドを止めるように設けた係止手段とからなる盗難防止装置において、上記の係止手段が、挿入部材の所要面に前記挿入部材の挿入にともない押し戻されるように設けた所要数の係止爪と、上記ケースの上記係止爪に対向する壁に前記係止爪が嵌り込んで係止関係になるように設けた貫通孔とで構成され、上記挿入部材に押し戻しによる係止関係の解除位置からの上記係止爪の押し込みを阻止するストッパを設けたことを特徴とする盗難防止装置。
【請求項１０】
箱体と、この箱体の開口を開閉するように前記箱体の一辺にヒンジを介し設けた蓋体とで盗難防止対象物の収納陳列ケースを形成し、この陳列ケースの所要位置に設けてある挿入口から挿入路としてのガイド手段により案内される挿入部材を挿入すると共に、この挿入部材と上記箱体及び蓋体とに掛合関係によって上記陳列ケースの開放阻止の掛合手段を設け、上記挿入部材と陳列ケースとに前記挿入部材の挿入にともない係合関係になって挿入部材の抜き取り阻止の係止手段を設けた盗難防止装置において、上記の係止手段が挿入部材の所要面に前記挿入部材の挿入にともない押し戻されるように設けた所要数の係止爪と、上記陳列ケースの上記係止爪に対向する壁に前記係止爪が嵌り込んで係止関係になるように設けた貫通孔とで構成され、上記挿入部材に押し戻しによる係止関係の解除位置からの上記係止爪の押し込みを阻止するストッパを設けたことを特徴とする盗難防止装置。
【請求項１１】
周囲の一面に商品の出し入れ用の開口を有するケースと、このケースに上記開口から前記開口の反対方向に設けた挿入路としてのガイド手段と、このガイド手段により案内されてスライドするように設けた挿入部材と、この挿入部材の上記開口側端に上記商品の抜き取りを阻止するように設けたストッパと、上記ケース或いはガイド手段と挿入部材との対向面に前記挿入部材の挿入終了にともない係止関係になって上記挿入部材の抜き取り方向のスライドを止めるように設けた係止手段とからなる盗難防止装置において、上記の係止手段が、挿入部材の所要面に前記挿入部材の挿入にともない押し戻されるように設けた所要数の係止爪と、上記ケースの上記係止爪に対向する壁に前記係止爪が嵌り込んで係止関係になるように設けた貫通孔とで構成され、上記の係止爪に押し戻しによる係止関係の解除位置で上記ケースやガイド手段あるいは挿入部材のいずれかに当接して前記係止爪の押し込みを阻止するストッパ突部を設けたことを特徴とする盗難防止装置。
【請求項１２】
箱体と、この箱体の開口を開閉するように前記箱体の一辺にヒンジを介し設けた蓋体とで盗難防止対象物の収納陳列ケースを形成し、この陳列ケースの所要位置に設けてある挿入口から挿入路としてのガイド手段により案内される挿入部材を挿入すると共に、この挿入部材と上記箱体及び蓋体とに掛合関係によって上記陳列ケースの開放阻止の掛合手段を設け、上記挿入部材と陳列ケースとに前記挿入部材の挿入にともない係合関係になって挿入部材の抜き取り阻止の係止手段を設けた盗難防止装置において、上記の係止手段が挿入部材の所要面に前記挿入部材の挿入にともない押し戻されるように設けた所要数の係止爪と、上記陳列ケースの上記係止爪に対向する壁に前記係止爪が嵌り込んで係止関係になるように設けた貫通孔とで構成され、上記係止爪に押し戻しによる係止関係の解除位置で上記ケースやガイド手段あるいは挿入部材のいずれかに当接して前記係止爪の押し込みを阻止するストッパ突部を設けたことを特徴とする盗難防止装置。
【請求項１３】
周囲の一面に商品の出し入れ用の開口を有するケースと、このケースに上記開口から前記開口の反対方向に設けた挿入路としてのガイド手段と、このガイド手段により案内されてスライドするように挿入した挿入部材と、この挿入部材の上記開口側端に上記商品の抜き取りを阻止するように設けたストッパと、上記ケース或いはガイド手段と挿入部材との対向面に前記挿入部材の挿入終了にともない前記挿入部材の脱出方向のスライドを止めるように設けた係止手段とからなる盗難防止装置において、上記挿入部材に電源を保持する警報ブザー及び前記警報ブザーのＯＮ、ＯＦＦスイッチを設け、このスイッチの釦の作用片を上記ケース内の商品により押し戻して上記スイッチをＯＦＦの状態になるように前記ケース内に臨ませ、上記ケースの側壁に設ける収納商品の見える窓を、上記作用片の人手による押し込み阻止の障害部を残して形成したことを特徴とする盗難防止装置。
【請求項１４】
周囲の一面に商品の出し入れ用の開口を有するケースと、このケースに上記開口から前記開口の反対方向に設けた挿入路としてのガイド手段と、このガイド手段により案内されてスライドするように挿入した挿入部材と、この挿入部材の上記開口側端に上記商品の抜き取りを阻止するように設けたストッパと、上記ケース或いはガイド手段と挿入部材との対向面に前記挿入部材の挿入終了にともない前記挿入部材の脱出方向のスライドを止めるように設けた係止手段とからなる盗難防止装置において、上記挿入部材に電源を保持する警報ブザー及び前記警報ブザーのＯＮ、ＯＦＦスイッチを設け、このスイッチの釦を上記ケース内の商品により押し戻して上記スイッチをＯＦＦの状態になるように前記ケース内に臨ませ、上記ケースの側壁に設ける収納商品の見える窓を、上記釦の人手による押し込み阻止の障害部を残して形成したことを特徴とする盗難防止装置。
【請求項１５】
箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてある挿入路としてのガイド手段により案内される挿入部材を挿入すると共に、この挿入部材と上記箱体及び蓋体とに掛合関係によって上記陳列ケースの開放阻止の掛合手段を設け、上記挿入部材と陳列ケースとに前記挿入部材の挿入終了にともない係合関係になって挿入部材の抜き取り阻止の係止手段を設けた盗難防止装置において、上記挿入部材に電源を保持する警報ブザー及び前記警報ブザーのＯＮ、ＯＦＦスイッチを設け、このスイッチの釦の作用片を上記陳列ケース内の盗難防止対象物により押し戻して上記スイッチをＯＦＦの状態になるように前記陳列ケース内に臨ませ、上記陳列ケースの主壁に設ける盗難防止対象物の見える窓を、上記作用片の人手による押し込み阻止の障害部を残して形成したことを特徴とする盗難防止装置。
【請求項１６】
箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてある挿入路としてのガイド手段により案内される挿入部材を挿入すると共に、この挿入部材と上記箱体及び蓋体とに掛合関係によって上記陳列ケースの開放阻止の掛合手段を設け、上記挿入部材と陳列ケースとに前記挿入部材の挿入終了にともない係合関係になって挿入部材の抜き取り阻止の係止手段を設けた盗難防止装置において、上記挿入部材に電源を保持する警報ブザー及び前記警報ブザーのＯＮ、ＯＦＦスイッチを設け、このスイッチの釦を上記陳列ケース内の盗難防止対象物により押し戻して上記スイッチをＯＦＦの状態になるように前記陳列ケース内に臨ませ、上記陳列ケースの主壁に設ける盗難防止対象物の見える窓を、上記釦の人手による押し込み阻止の障害部を残して形成したことを特徴とする盗難防止装置。
【請求項１７】
周囲の一面に商品の出し入れ用の開口を有するケースと、このケースに上記開口から前記開口の反対方向に設けた挿入路としてのガイド手段と、このガイド手段により案内されてスライドするように挿入した挿入部材と、この挿入部材の上記開口側端に上記商品の抜き取りを阻止するように設けたストッパと、上記ケース或いはガイド手段と挿入部材との対向面に前記挿入部材の挿入終了にともない前記挿入部材の脱出方向のスライドを止めるように設けた係止手段とからなる盗難防止装置において、上記挿入部材に電源を保持する警報ブザー及び前記警報ブザーのＯＮ、ＯＦＦスイッチを設け、このスイッチの釦の作用片を上記ケース内の商品により押し戻して上記スイッチをＯＦＦの状態になるように前記ケース内に臨ませ、上記ケースの側壁に収納商品の見える窓を設け、上記側壁に上記商品の収納スライドにともない復帰力に抗して押し戻され、かつ前記商品の脱出スライドにともない復帰すると共に、人手による上記作用片の押し戻し阻止の障害片を設けたことを特徴とする盗難防止対象物。
【請求項１８】
周囲の一面に商品の出し入れ用の開口を有するケースと、このケースに上記開口から前記開口の反対方向に設けた挿入路としてのガイド手段と、このガイド手段により案内されてスライドするように挿入した挿入部材と、この挿入部材の上記開口側端に上記商品の抜き取りを阻止するように設けたストッパと、上記ケース或いはガイド手段と挿入部材との対向面に前記挿入部材の挿入終了にともない前記挿入部材の脱出方向のスライドを止めるように設けた係止手段とからなる盗難防止装置において、上記挿入部材に電源を保持する警報ブザー及び前記警報ブザーのＯＮ、ＯＦＦスイッチを設け、このスイッチの釦を上記ケース内の商品により押し戻して上記スイッチをＯＦＦの状態になるように前記ケース内に臨ませ、上記ケースの側壁に収納商品の見える窓を設け、上記側壁に商品の収納スライドにともない復帰力に抗して押し戻され、かつ前記商品の脱出スライドにともない復帰すると共に、人手による上記釦の押し戻し阻止の障害片を設けたことを特徴とする盗難防止装置。
【請求項１９】
箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてある挿入路としてのガイド手段により案内される挿入部材を挿入すると共に、この挿入部材と上記箱体及び蓋体とに掛合関係によって上記陳列ケースの開放阻止の掛合手段を設け、上記挿入部材と陳列ケースとに前記挿入部材の挿入終了にともない係合関係になって挿入部材の抜き取り阻止の係止手段を設けた盗難防止装置において、上記挿入部材に電源を保持する警報ブザー及び前記警報ブザーのＯＮ、ＯＦＦスイッチを設け、このスイッチの釦の作用片を上記陳列ケース内の盗難防止対象物により押し戻して上記スイッチをＯＦＦの状態になるように前記陳列ケース内に臨ませ、上記陳列ケースの主壁に盗難防止対象物の見える窓を設け、上記主壁に収納する上記盗難防止対象物により復帰力に抗して押し戻され、かつ前記盗難防止対象物の取り出しにともない復帰すると共に、人手による上記作用片の押し戻し阻止の障害片を設けたことを特徴とする盗難防止装置。
【請求項２０】
箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてある挿入路としてのガイド手段により案内される挿入部材を挿入すると共に、この挿入部材と上記箱体及び蓋体とに掛合関係によって上記陳列ケースの開放阻止の掛合手段を設け、上記挿入部材と陳列ケースとに前記挿入部材の挿入終了にともない係合関係になって挿入部材の抜き取り阻止の係止手段を設けた盗難防止装置において、上記挿入部材に電源を保持する警報ブザー及び前記警報ブザーのＯＮ、ＯＦＦスイッチを設け、このスイッチの釦を上記陳列ケース内の盗難防止対象物により押し戻して上記スイッチをＯＦＦの状態になるように前記陳列ケース内に臨ませ、上記陳列ケースの主壁に盗難防止対象物の見える窓を設け、上記主壁に収納する上記盗難防止対象物により復帰力に抗して押し戻され、かつ前記盗難防止対象物の取り出しにともない復帰すると共に、人手による上記釦の押し戻し阻止の障害片を設けたことを特徴とする盗難防止装置。
【請求項２１】
前記挿入部材に盗難防止タグを設けたことを特徴とする請求項７，８、９、１０、１１、１２、１３、１４、１５、１６又は１７に記載の盗難防止装置。
【請求項２２】
前記ケースに盗難防止タグを設けたことを特徴とする請求項１、２、４、７、８、９、１１、１３、１４、１７又は１８に記載の盗難防止装置。
【請求項２３】
前記陳列ケースに盗難防止タグを設けたことを特徴とする請求項３、５、１０、１２、１５、１６、１９又は２０に記載の盗難防止装置。
【請求項２４】
箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてある挿入路としてのガイド手段により案内される挿入部材を挿入すると共に、この挿入部材と上記箱体及び蓋体とに掛合関係によって上記陳列ケースの開放阻止の掛合手段を設け、上記挿入部材と陳列ケースとに前記挿入部材の挿入終了にともない係合関係になって挿入部材の抜き取り阻止の係止手段を設けた盗難防止装置において、上記挿入部材に電源を保持する警報ブザー及び前記警報ブザーのＯＮ、ＯＦＦスイッチを設け、上記挿入路内に上記挿入部材の脱出方向のスライドにともない上記スイッチの入切用作用体を一定の範囲ＯＮの状態にする作用部を設け、上記の係止手段を、上記挿入部材に前記挿入部材の挿入にともない押し戻されるように設けた所要数の係止爪と、上記陳列ケースの壁に表裏面を貫通させて上記係止爪の嵌り込みにより係止関係になる貫通孔とで構成したことを特徴とする盗難防止装置。
【請求項２５】
周囲の一面に商品の出し入れ用の開口を有するケースと、このケースに上記開口から前記開口の反対方向に設けた挿入路としてのガイド手段と、このガイド手段により案内されて上記の挿入路に挿入する挿入部材と、この挿入部材の上記開口側端に上記商品の抜き取りを阻止するように設けたストッパと、上記ケース或いはガイド手段と挿入部材との対向面に前記挿入部材の挿入終了にともない係止関係になって上記挿入部材の抜き取り方向のスライドを止めるように設けた係止手段とからなる盗難防止装置において、上記挿入部材に電源を保持する警報ブザー及び前記警報ブザーのＯＮ、ＯＦＦスイッチを設け、上記挿入路内に上記挿入部材の脱出方向のスライドにともない上記スイッチの入切用作用体を一定の範囲ＯＮの状態にする作用部を設け、上記の係止手段を、上記挿入部材に前記挿入部材の挿入にともない押し戻されるように設けた所要数の係止爪と、上記ケースの壁に表裏面を貫通させて上記係止爪の嵌り込みにより係止関係になる貫通孔とで構成したことを特徴とする盗難防止装置。
【請求項２６】
箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてある挿入路としてのガイド手段により案内される挿入部材を挿入すると共に、この挿入部材と上記箱体及び蓋体とに掛合関係によって上記陳列ケースの開放阻止の掛合手段を設け、上記挿入部材と陳列ケースとに前記挿入部材の挿入終了にともない係合関係になって挿入部材の抜き取り阻止の係止手段を設けた盗難防止装置において、上記の係止手段を上記挿入部材に前記挿入部材の挿入にともない押し戻されるように設けた所要数の係止爪と、上記陳列ケースの壁に表裏面を貫通させて上記係止爪の嵌り込みにより係止関係になるように設けた貫通孔とで構成し、又上記の挿入部材に電源を保持する警報ブザー及び前記警報ブザーのＯＮ、ＯＦＦスイッチを設け、このスイッチのＯＮ、ＯＦＦ用作用体が、上記挿入部材の挿入にともない押し戻されてＯＮになるようにし、更に上記陳列ケースの壁に上記挿入部材の挿入終了にともない上記作用体の突出端側が嵌り込んでＯＦＦになるように貫通する透孔を設けたことを特徴とする盗難防止装置。
【請求項２７】
周囲の一面に商品に出し入れ用の開口を有するケースと、このケースに上記開口から前記開口の反対方向に設けた挿入路としてのガイド手段と、このガイド手段により案内されて上記の挿入路に挿入する挿入部材と、この挿入部材の上記開口側端に上記商品の抜き取りを阻止するように設けたストッパと、上記ケース或いはガイド手段と挿入部材との対向面に前記挿入部材の挿入終了にともない係合関係になって上記挿入部材の抜き取り阻止の係止手段とを設けた盗難防止装置において、上記の係止手段を上記挿入部材に前記挿入部材の挿入にともない押し戻されるように設けた所要数の係止爪と、上記ケースの壁に表裏面を貫通させて上記係止爪の嵌り込みにより係止関係になるように設けた貫通孔とで構成し、又上記の挿入部材に電源を保持する警報ブザー及び前記警報ブザーのＯＮ、ＯＦＦスイッチを設け、このスイッチの作用体が、上記挿入部材の挿入にともない押し戻されてＯＮになるようにし、更に上記ケースの壁に上記挿入部材の挿入終了にともない上記作用体の突出端側が嵌り込んでＯＦＦになるように貫通する透孔を設けたことを特徴とする盗難防止装置。
【請求項２８】
前記陳列ケース或いはケースと前記挿入部材の少なくとも片方に盗難防止タグを設けたことを特徴とする請求項２４、２５、２６又は２７に記載の盗難防止装置。
【請求項２９】
前記貫通孔が、挿入部材の脱出方向の若干のスライドを許容すると共に、許容範囲のスライドにともない作用部により作用する作用体を介しスイッチをＯＮになるように長孔にしたことを特徴とする請求項２４又は２５に記載の盗難防止装置。
【請求項３０】
周囲の一面に商品の出し入れ用の開口を有するケースと、このケースに上記開口から前記開口の反対方向に設けた挿入路としてのガイド手段と、このガイド手段により案内されて上記挿入路に挿入する挿入部材と、この挿入部材の上記開口側端に上記商品の抜き取りを阻止するように設けたストッパと、上記ケース或いはガイド手段と挿入部材との対向面に前記挿入部材の挿入終了にともない係合関係になって上記挿入部材の抜き取り阻止の係止手段とを設けた盗難防止装置において、上記の係止手段を上記挿入部材に前記挿入部材の挿入にともない押し戻されるように設けた所要数の係止爪と、上記ケースの壁に表裏面を貫通させて上記係止爪の嵌り込みにより係止関係になるように設けた貫通孔とで構成し、上記挿入部材に電源を保持する警報ブザー及び前記警報ブザーのＯＮ、ＯＦＦスイッチを設け、このスイッチの二叉状作用体の連結部分をピンを介し挿入部材に回動可能に取付け、上記作用体の片方作用片をケースに収納した商品により押し戻されるように上記ガイド手段の壁に設けてある貫孔に貫通させ、上記作用体の片方の作用片と商品との接触及び上記挿入部材の脱出方向のスライドにともなう上記ガイド手段との接触にともない上記スイッチがＯＦＦになるよう上記スイッチの釦にもう片方の作用片を接触させたことを特徴とする盗難防止装置。
【発明の詳細な説明】
【技術分野】
【０００１】
この発明は、ショップに陳列してあるケース内の例えばメーカーの収納ケースに収納してある商品の音楽や映像を記録してあるディスクが盗難に遭うのを防止する盗難防止装置に関する。
【背景技術】
【０００２】
ショップにディスクの収納したケースを陳列すると、収納ケースを開放して、収納ケース内のディスクの取り出しが可能になるので、ディスクの盗難に遭う（特許文献１）。
【０００３】
そこで、透明な合成樹脂製の袋に上述の収納ケースを包装して陳列する。
【０００４】
しかしながら、容易に袋を破ることができるので、収納ケース内のディスクの盗難に遭う。
【０００５】
上記の点に鑑みて、錠装置付陳列ケースの錠装置としての昇降体を押し込むことで、ロック手段としての貫孔の縁と掛止爪との係合関係により昇降体の押し込み維持をはかって、陳列ケース内での収納ケースの上方へのスライドを止めて、陳列ケースの片方側面の出し入れ開口からの収納ケースの取り出し阻止するようにしたものがある（特許文献２）。
【０００６】
しかしながら、陳列時に顧客による工具などを用いて陳列ケースの開口の上下縁を破損して、開口の上下少なくとも片方の縁と収納ケースとの引っかかりをなくすることで、収納ケースの取り出しが可能になり、その結果ディスクの盗難に遭う。
【０００７】
そこで、陳列用のクリアケースを破損して、クリアケースから商品のカセットを抜き取ることで、商品の検出スイッチが働き、警報回路がＯＮとなってブザーが鳴る仕組みの自鳴式物品監視装置がある（特許文献３）。
【０００８】
【特許文献１】特開平１０−５９４０９号公報（図９）
【特許文献２】特開平１０−２５０７３９号公報
【特許文献３】特許第３３２６１６４号公報
【発明の開示】
【発明が解決しようとする課題】
【０００９】
ところで、特許文献３の自鳴式物品監視装置の構造は、クリアケースに装着された自鳴式タグには、商品検出スイッチと電源スイッチとが設けてあり、上記一方の商品検出スイッチは、クリアケースに商品を嵌装したのち、自鳴式タグのプッシュにともない商品と接した状態でＯＦＦとなり、商品と離れるとＯＮになる。
【００１０】
他方の電源スイッチは、ロック機構によりＯＮ／ＯＦＦするスライドスイッチである。
【００１１】
すなわち、商品をクリアケースに装着するとき、検出スイッチがＯＦＦとなってから電源スイッチがＯＮになる。従って自鳴式タグの取付けから商品の装着までブザーが鳴ることはなく、電源スイッチはロック後ＯＮとなる。
【００１２】
このような構成によると、二種類のスイッチを使用することになり、また電源スイッチもロック後にＯＮに切り替るようにしてあるので、自鳴式タグに組み込む回路の基板が大型化する。
【００１３】
このため、コストが大幅にアップする問題があった。
【００１４】
また、挿入部材の引き抜き阻止の係止爪は、顧客による細い杆や棒の押し込みによって剪断されることがある。
【００１５】
すると、挿入部材の引き抜き阻止の機能を果すことができない。
【００１６】
さらに、商品の取出しにともないブザーが鳴って盗難を知らせるようにしてあるが、人手によりブザーを止めることができる問題もあった。
【００１７】
また、顧客による挿入部材を脱出方向（抜き取り方向）にスライドさせても警報を発生することがないので、盗難を躊躇させることができないと共に、警報ブザーの電源の容量の有無を知ることができない問題があった。
【００１８】
そこで、この発明は、極めて簡単な構成によって陳列ケースから商品を取り出すと（顧客によって）、警報を発するようにし、また挿入部材の引き抜きが困難になるようにすると共に、挿入部材の抜き取り方向のスライドを阻止する係止手段の係止爪の無理矢理な押し込みにともなう機能を果たさない不都合をなくす以外に、人手により警報を止めたり、また店外にケースを持ち出すのを検出するようにし、さらに挿入部材の引き抜き方向のスライドにより警報を発生してショップ側に盗難を知らせる以外に、操作した人に躊躇させると共に、警報ブザーの電源の容量の有無を知ることができるようにした盗難防止装置を提供することにある。
【課題を解決するための手段】
【００１９】
上記の課題を解決するために、この発明は、周囲の一面に商品の出し入れ用の開口を有するケースと、このケースに上記開口から前記開口の反対方向に設けた挿入路としてのガイド手段と、このガイド手段により案内されてスライドするように挿入した挿入部材と、この挿入部材の上記開口側端に上記商品の抜き取りを阻止するように設けたストッパと、上記ケース或いはガイド手段と挿入部材との対向面に前記挿入部材の挿入終了にともない前記挿入部材の脱出方向のスライドを止めるように設けた係止手段とからなる盗難防止装置において、上記挿入部材に電源を保持する警報ブザー及び前記警報ブザーのＯＮ、ＯＦＦスイッチを設け、このスイッチの釦の作用片を上記ケース内の商品により押し戻して上記スイッチをＯＦＦの状態になるように前記ケース内に臨ませた構成を採用する。
【００２０】
すると、ストッパやケースを破壊してケースから商品を取り出すと、また係止手段の係止関係が解除されて挿入部材を引き抜くと、商品による作用片のプッシュが開放されてスイッチがＯＮになる。
【００２１】
このため警報ブザーが鳴る。
【００２２】
また、周囲の一面に商品の出し入れ用の開口を有するケースと、このケースに上記開口から前記開口の反対方向に設けた挿入路としてのガイド手段と、このガイド手段により案内されてスライドするように挿入した挿入部材と、この挿入部材の上記開口側端に上記商品の抜き取りを阻止するように設けたストッパと、上記ケース或いはガイド手段と挿入部材との対向面に前記挿入部材の挿入終了にともない前記挿入部材の脱出方向のスライドを止めるように設けた係止手段とからなる盗難防止装置において、上記ガイド手段の所定位置に電源を保持する警報ブザー及び前記警報ブザーのＯＮ、ＯＦＦスイッチを設け、このスイッチの釦の作用片を上記挿入部材の挿入終了にともないプッシュして上記スイッチをＯＦＦの状態になるよう位置させた構成を採用する。
【００２３】
すると、係止手段の係合関係が解除されて挿入部材を引き抜き方向にスライドすると、挿入部材による釦のプッシュが開放されてスイッチがＯＮになり、警報ブザーが鳴る。
【００２４】
さらに、箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてある挿入路としてのガイド手段により案内される挿入部材を挿入すると共に、この挿入部材と上記箱体及び蓋体とに掛合関係によって上記陳列ケースの開放阻止の掛合手段を設け、上記挿入部材と陳列ケースとに前記挿入部材の挿入終了にともない係合関係になって挿入部材の抜き取り阻止の係止手段を設けた盗難防止装置において、上記挿入部材に電源を保持する警報ブザー及び前記警報ブザーのＯＮ、ＯＦＦスイッチを設け、このスイッチの釦の作用片を上記陳列ケース内の盗難防止対象物により押し戻して上記スイッチをＯＦＦの状態になるように前記陳列ケース内に臨ませた構成を採用する。
【００２５】
すると、係合部の係合関係が解除されて挿入部材を引き抜き方向にスライドすると、盗難防止対象物による作用片のプッシュが開放されてスイッチがＯＮになり、警報ブザーが鳴る。
【００２６】
また、周囲の一面に商品の出し入れ用の開口を有するケースと、このケースに上記開口から前記開口の反対方向に設けた挿入路としてのガイド手段と、このガイド手段により案内されてスライドするように挿入した挿入部材と、この挿入部材の上記開口側端に上記商品の抜き取りを阻止するように設けたストッパと、上記ケース或いはガイド手段と挿入部材との対向面に前記挿入部材の挿入終了にともない前記挿入部材の脱出方向のスライドを止めるように設けた係止手段とからなる盗難防止装置において、上記挿入部材に電源を保持する警報ブザー及び前記警報ブザーのＯＮ、ＯＦＦスイッチを設け、このスイッチの釦を上記ケース内の商品により押し戻して上記スイッチをＯＦＦの状態になるように前記ケース内に臨ませた構成を採用することもある。
【００２７】
すると、ストッパやケースを破壊してケースから商品を取り出すと、また係止手段の係止関係が解除されて挿入部材を引き方向にスライドすると、商品による釦のプッシュが開放されてスイッチがＯＮになる。
【００２８】
このため、警報ブザーが鳴る。
【００２９】
さらに、箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてある挿入路としてのガイド手段により案内される挿入部材を挿入すると共に、この挿入部材と上記箱体及び蓋体とに掛合関係によって上記陳列ケースの開放阻止の掛合手段を設け、上記挿入部材と陳列ケースとに前記挿入部材の挿入終了にともない係合関係になって挿入部材の抜き取り阻止の係止手段を設けた盗難防止装置において、上記挿入部材に電源を保持する警報ブザー及び前記警報ブザーのＯＮ、ＯＦＦスイッチを設け、このスイッチの釦を上記陳列ケース内の盗難防止対象物により押し戻して上記スイッチをＯＦＦの状態になるように前記陳列ケース内に臨ませた構成を採用する。
【００３０】
すると、係合部の係合関係が解除されて挿入部材を引き方向にスライドさせると、盗難防止対象物による釦のプッシュが開放されてスイッチがＯＮになり、警報ブザーが鳴る。
【００３１】
また、周囲の一面に商品の出し入れ用の開口を有するケースと、このケースに上記開口から前記開口の反対方向に設けた挿入路としてのガイド手段と、このガイド手段により案内されてスライドするように設けた挿入部材と、この挿入部材の上記開口側端に上記商品の抜き取りを阻止するように設けたストッパと、上記ケース或いはガイド手段と挿入部材との対向面に前記挿入部材の挿入終了にともない係止関係になって上記挿入部材の抜き取り方向のスライドを止めるように設けた係止手段とからなる盗難防止装置において、上記の係止手段が、挿入部材の所要面に前記挿入部材の挿入にともない押し戻されるように設けた所要数の磁吸されない係止爪と、上記ケースの上記係止爪に対向する壁に前記係止爪が嵌り込んで係止関係になるように設けた貫通孔とで構成され、上記挿入部材に盗難防止タグを設けた構成や、周囲の一面に商品の出し入れ用の開口を有するケースと、このケースに上記開口から前記開口の反対方向に設けた挿入路としてのガイド手段と、このガイド手段により案内されてスライドするように設けた挿入部材と、この挿入部材の上記開口側端に上記商品の抜き取りを阻止するように設けたストッパと、上記ケース或いはガイド手段と挿入部材との対向面に前記挿入部材の挿入終了にともない係止関係になって上記挿入部材の抜き取り方向のスライドを止めるように設けた係止手段とからなる盗難防止装置において、上記の係止手段が、上記挿入部材の所要面に前記挿入部材の挿入にともない押し戻されるように設けた磁吸されない係止爪及び磁吸される係止爪と、上記ケースの上記磁吸されない係止爪に対向する壁に前記磁吸されない係止爪が嵌り込んで係止関係になる貫通孔及びケースの磁吸される係止爪が係止する係合部とで構成され、上記挿入部材に盗難防止タグを設けた構成を採用する。
【００３２】
すると、係止手段の係止解除が容易にならないようにする。
【００３３】
さらに、係止手段が挿入部材の所要面に前記挿入部材の挿入にともない押し戻されるように設けた所要数の係止爪と、上記陳列ケースの上記係止爪に対向する壁に前記係止爪が嵌り込んで係止関係になるように設けた貫通孔とで構成され、上記挿入部材に押し戻しによる係止関係の解除位置からの上記係止爪の押し込みを阻止するストッパを設けた構成や、係止手段が、挿入部材の所要面に前記挿入部材の挿入にともない押し戻されるように設けた所要数の係止爪と、上記ケースの上記係止爪に対向する壁に前記係止爪が嵌り込んで係止関係になるように設けた貫通孔とで構成され、上記の係止爪に押し戻しによる係止関係の解除位置で上記ケースやガイド手段あるいは挿入部材のいずれかに当接して前記係止爪の押し込みを阻止するストッパ突部を設けた構成を採用して、貫通孔から係止爪に向け細い杆や棒などによる押し込みにともない発生する係止爪の剪断をストッパやストッパ突部によって回避する。
【００３４】
また、ケースや陳列ケースから商品や盗難防止対象物の取り出しにともない作用する警報を人手により止めることができないようにして、盗難防止に大いに役立つようにすると共に、挿入部材やケース、陳列ケースに設けてある盗難防止タグにより店外への持ち出しを検出する。
【００３５】
さらに、箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてある挿入路としてのガイド手段により案内される挿入部材を挿入すると共に、この挿入部材と上記箱体及び蓋体とに掛合関係によって上記陳列ケースの開放阻止の掛合手段を設け、上記挿入部材と陳列ケースとに前記挿入部材の挿入終了にともない係合関係になって挿入部材の抜き取り阻止の係止手段を設けた盗難防止装置において、上記挿入部材に電源を保持する警報ブザー及び前記警報ブザーのＯＮ、ＯＦＦスイッチを設け、上記挿入路内に上記挿入部材の脱出方向のスライドにともない上記スイッチの入切用作用体を一定の範囲ＯＮの状態にする作用部を設け、上記の係止手段を、上記挿入部材に前記挿入部材の挿入にともない押し戻されるように設けた所要数の係止爪と、上記陳列ケースの壁に表裏面を貫通させて上記係止爪の嵌り込みにより係止関係になる貫通孔とで構成し、また周囲の一面に商品の出し入れ用の開口を有するケースと、このケースに上記開口から前記開口の反対方向に設けた挿入路としてのガイド手段と、このガイド手段により案内されて上記の挿入路に挿入する挿入部材と、この挿入部材の上記開口側端に上記商品の抜き取りを阻止するように設けたストッパと、上記ケース或いはガイド手段と挿入部材との対向面に前記挿入部材の挿入終了にともない係止関係になって上記挿入部材の抜き取り方向のスライドを止めるように設けた係止手段とからなる盗難防止装置において、上記挿入部材に電源を保持する警報ブザー及び前記警報ブザーのＯＮ、ＯＦＦスイッチを設け、上記挿入路内に上記挿入部材の脱出方向のスライドにともない上記スイッチの入切用作用体を一定の範囲ＯＮの状態にする作用部を設け、上記の係止手段を、上記挿入部材に前記挿入部材の挿入にともない押し戻されるように設けた所要数の係止爪と、上記ケースの壁に表裏面を貫通させて上記係止爪の嵌り込みにより係止関係になる貫通孔とで構成する。
【００３６】
また、箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてある挿入路としてのガイド手段により案内される挿入部材を挿入すると共に、この挿入部材と上記箱体及び蓋体とに掛合関係によって上記陳列ケースの開放阻止の掛合手段を設け、上記挿入部材と陳列ケースとに前記挿入部材の挿入終了にともない係合関係になって挿入部材の抜き取り阻止の係止手段を設けた盗難防止装置において、上記の係止手段を上記挿入部材に前記挿入部材の挿入にともない押し戻されるように設けた所要数の係止爪と、上記陳列ケースの壁に表裏面を貫通させて上記係止爪の嵌り込みにより係止関係になるように設けた貫通孔とで構成し、又上記の挿入部材に電源を保持する警報ブザー及び前記警報ブザーのＯＮ、ＯＦＦスイッチを設け、このスイッチのＯＮ、ＯＦＦ用作用体が、上記挿入部材の挿入にともない押し戻されてＯＮになるようにし、更に上記陳列ケースの壁に上記挿入部材の挿入終了にともない上記作用体の突出端側が嵌り込んでＯＦＦになるように貫通する透孔を設けた構成や、周囲の一面に商品に出し入れ用の開口を有するケースと、このケースに上記開口から前記開口の反対方向に設けた挿入路としてのガイド手段と、このガイド手段により案内されて上記の挿入路に挿入する挿入部材と、この挿入部材の上記開口側端に上記商品の抜き取りを阻止するように設けたストッパと、上記ケース或いはガイド手段と挿入部材との対向面に前記挿入部材の挿入終了にともない係合関係になって上記挿入部材の抜き取り阻止の係止手段とを設けた盗難防止装置において、上記の係止手段を上記挿入部材に前記挿入部材の挿入にともない押し戻されるように設けた所要数の係止爪と、上記ケースの壁に表裏面を貫通させて上記係止爪の嵌り込みにより係止関係になるように設けた貫通孔とで構成し、又上記の挿入部材に電源を保持する警報ブザー及び前記警報ブザーのＯＮ、ＯＦＦスイッチを設け、このスイッチの作用体が、上記挿入部材の挿入にともない押し戻されてＯＮになるようにし、更に上記ケースの壁に上記挿入部材の挿入終了にともない上記作用体の突出端側が嵌り込んでＯＦＦになるように貫通する透孔を設けた構成を採用する。
【００３７】
そして、前記貫通孔が、挿入部材の脱出方向の若干のスライドを許容すると共に、許容範囲のスライドにともない作用部により作用する作用体を介しスイッチをＯＮになるように長孔にした構成を採用する。
【００３８】
さらに、周囲の一面に商品の出し入れ用の開口を有するケースと、このケースに上記開口から前記開口の反対方向に設けた挿入路としてのガイド手段と、このガイド手段により案内されて上記挿入路に挿入する挿入部材と、この挿入部材の上記開口側端に上記商品の抜き取りを阻止するように設けたストッパと、上記ケース或いはガイド手段と挿入部材との対向面に前記挿入部材の挿入終了にともない係合関係になって上記挿入部材の抜き取り阻止の係止手段とを設けた盗難防止装置において、上記の係止手段を上記挿入部材に前記挿入部材の挿入にともない押し戻されるように設けた所要数の係止爪と、上記ケースの壁に表裏面を貫通させて上記係止爪の嵌り込みにより係止関係になるように設けた貫通孔とで構成し、上記挿入部材に電源を保持する警報ブザー及び前記警報ブザーのＯＮ、ＯＦＦスイッチを設け、このスイッチの二叉状作用体の連結部分をピンを介し挿入部材に回動可能に取付け、上記作用体の片方作用片をケースに収納した商品により押し戻されるように上記ガイド手段の壁に設けてある貫孔に貫通させ、上記作用体の片方の作用片と商品との接触及び上記挿入部材の脱出方向のスライドにともなう上記ガイド手段との接触にともない上記スイッチがＯＦＦになるよう上記スイッチの釦にもう片方の作用片を接触させた構成を採用する。
【発明の効果】
【００３９】
以上のように、この発明の盗難防止装置によれば、ストッパやケースを破壊してケースから商品を取り出し、或いは係止手段の係合関係を解除して抜き取り方向に挿入部材をスライドさせることで、商品による作用片のプッシュが開放されてスイッチがＯＮになる。
【００４０】
このため、警報ブザーが鳴って商品の盗難防止に効果を発揮する。
【００４１】
そして、ケースや陳列ケースに収納した商品と作用片側との間隙がまちまちであっても、収納した商品により作用片の尖端側を押し戻してスイッチのボタンをプッシュして確実にＯＦＦとすることができる。
【００４２】
このため、まちまちな間隙を吸収し、またスイッチのボタンの押し込みをはかって目的を達成することができる。
【００４３】
また、係止手段の係合関係を解除して挿入部材を引き抜き方向にスライドすると、挿入部材による釦のプッシュが開放されてスイッチがＯＮになる。
【００４４】
このため、警報ブザーが鳴って盗難防止に効果を発揮する。
【００４５】
さらに、係合部の係合関係が解除されて挿入部材を引き抜き方向にスライドすると、盗難防止対象物による作用片のプッシュが開放されてスイッチがＯＮになる。
【００４６】
このため、警報ブザーが鳴って盗難防止に効果を発揮する。
【００４７】
また、ストッパやケースを破壊してケースから商品を取り出すと、また係止手段の係止関係を解除して挿入部材を引き抜き方向にスライドすると、商品による釦のプッシュが開放されてスイッチがＯＮになる。
【００４８】
このため、警報ブザーが鳴って盗難防止に効果を発揮する。
【００４９】
さらに、係合部の係合関係が解除されて挿入部材を引き抜き方向にスライドさせると、盗難防止対象物による釦のプッシュが開放されてスイッチがＯＮになる。
【００５０】
このため、警報ブザーが鳴って盗難防止に効果を発揮する。
【００５１】
また、係止手段がストッパ付挿入部材とケースとに設けた所要数の係止爪と貫通孔とで構成してあるので、顧客による係止関係の解除が容易でなく、特に係止爪が磁吸されない係止爪と磁吸される係止爪との併設によって、かりに磁吸されない係止爪を解除できても、隠蔽状態にある磁吸される係止爪の解除ができなくなって盗難防止に役立つ特有な効果を発揮する。
【００５２】
さらに、挿入部材に設けてあるストッパにより係合関係の解除状況下からの係止爪の押し込みを阻止するので、貫通孔に挿入した細い杆や棒による係止爪の無理矢理な押し込みを阻止することができる。
【００５３】
このため、係止爪の連結元部の剪断が防止されて係止爪の機能を損うことがない。
【００５４】
また、係止爪に設けてあるストッパ突部とケースやガイド手段或いは挿入部材との当接により係合関係の解除状況下からの係止爪の押し込みを阻止するので、貫通孔に挿入した細い杆や棒による係止爪の無理矢理な押し込みを阻止することができる。
【００５５】
このため、係止爪の連結元部の剪断が防止されて係止爪の機能を損うことがない。
【００５６】
さらに、ケースや陳列ケースから商品や盗難防止対象物の取り出しにともない鳴る警報ブザーを作用片や釦のプッシュにより止めようと（窓から指先などを入れて）しても、障害部により阻止し、また復帰した障害片が作用片や釦の手前に位置して、ドライバや棒材などによる作用片や釦のプッシュを阻止する。
【００５７】
このため、警報ブザーを止めることができなくなって盗難防止に役立つ。
【００５８】
また、挿入部材やケース、陳列ケースに盗難防止タグを設けてあるので、店外への持ち出しを検出することもできる。
【００５９】
さらに、顧客による貫通孔と係止爪との係合関係を解除して脱出方向に挿入部材をスライドさせると、作用部により作用体を作用させてスイッチをＯＮにするので、警報ブザーが鳴って盗難を知らせるため、盗難防止に大いに効果を発揮する。
【００６０】
そして、ショップ側の解除具を用いて貫通孔と係止爪との係止関係を解除したのち、挿入部材を引き抜いてショップに挿入部材を回収した際、作用部によって作用体を作用させないためスイッチをＯＦＦの状態とする。
【００６１】
このため、回収下に警報ブザーは止まっている。
【００６２】
また、ショップ側で挿入部材を挿入したとき、挿入途中に作用部により作用体を作用させて一時的に（短かく）警報が鳴るため（ショップ側で脱出方向に挿入部材をスライドさせたときにも）、電源の容量の有無を知ることができる。
【００６３】
さらに、貫通孔を長孔としたので、顧客により挿入部材を脱出方向に若干スライドさせたとき、作用部により作用体を作用させてスイッチをＯＮにする。
【００６４】
このとき、警報が鳴るので、挿入部材を押し込んで躊躇させることになる。
【００６５】
また、顧客による貫通孔と係止爪との係合関係を解除する際、顧客により透孔内の作用体が押し込まれると、スイッチがＯＮになって警報ブザーが鳴るので、ショップに盗難を知らせると共に、警報ブザーが鳴ることで顧客に罪悪感を与えて盗難を未然に防止する、すなわち、躊躇させる効果がある。
【００６６】
勿論、ショップ側でケースや陳列ケースから挿入部材を抜き取る際や、挿入部材の挿入に際し作用体を押し戻してスイッチをＯＮに（一時的）するため、警報が鳴ることで電源の容量の有無を知ることもできる。
【００６７】
さらに、二叉状作用体の片方作用片を貫窓に貫通させてケースに収納した商品によって押し戻し、この押し戻しによりもう片方の作用体により釦をプッシュしてスイッチをＯＦＦにするので、ケースから商品を抜き取ることで、商品による片方の作用片の押し戻しがなくなる。
【００６８】
このため、もう片方の作用片の釦のプッシュがなく、スイッチがＯＮになって警報を発して盗難を知らせることができる。
【００６９】
そして、挿入部材を脱出方向にスライドさせて、ストッパと商品の衝突を回避させて商品の抜き取り後に、若干押し戻し方向にスライダをスライドさせることで、貫窓に片方の作用片が嵌入（落ち込む）するので、もう片方の作用片によるボタンのプッシュがなくなって、スイッチがＯＮになり、このＯＮによって警報が鳴る。
【００７０】
このため、極めて容易に電源の容量を知ることができ、手間のかかる電源の容量の検知が不要になる。
【００７１】
すなわち、ケースから挿入部材を抜き取ったのち、ケースに挿入部材を挿入する必要がない。
【発明を実施するための最良の形態】
【００７２】
以下、この発明の実施の形態を添付図面に基づいて説明する。
【００７３】
この発明の第１の実施形態では、図１から図５に示すように、陳列用ケースＫの周囲一面には、商品Ａの出し入れ用の開口１が設けてある。
【００７４】
上記のケースＫは、図１に示すように、対向する側壁２、２と、この両側壁２、２の上縁同志、片方の側縁同志及び下縁同志を連結する周壁３とで構成され、例えば合成樹脂の成形品によって得る。
【００７５】
上記の出し入れする商品Ａとしては、例えばメーカーから出荷されたディスクの収納ケースや、ビデオテープその他の陳列時の盗難を防止する盗難防止対象物をケースＫに収納する。
【００７６】
また、ケースＫには、開口１から開口１の反対方向に向く挿入路としてのガイド手段Ｂを設けて、このガイド手段Ｂに挿入部材４を挿入する。
【００７７】
上記のガイド手段Ｂは、図示の場合、頂壁になる周壁３の下側で所要の間隔を存して並列状になるように側壁２、２に連なって設けた仕切壁５と周壁３との空間をガイドとしたが、その他の構成によって挿入部材４の挿入をガイドするようにしてもよい。
【００７８】
例えば、片方の側壁２からもう片方の側壁２に向けて突出する突出壁（図示省略）であってもよい。
【００７９】
そして、仕切壁５（突出端）も対向する周壁３の全長の範囲に限定されることもなく所要部分のみ点在的に設けてもよい。
【００８０】
要するに、挿入する挿入部材４をガイドするものであればよい。すなわち、挿入部材４の挿入路の役目をする。
【００８１】
さらに、挿入部材４の末端（挿入方向の反対側端）には、挿入部材４の挿入終了時に開口１の一部を閉鎖して商品Ａの抜き取りを阻止するストッパ６が設けてある。
【００８２】
上記のストッパ６は、図示の場合挿入部材４の末端に関節部としてのピンヒンジ７を介しストッパ６を起伏自在に取付け、ガイド手段Ｂ内にピンヒンジ７が納まった状況下にあっては、ストッパ６の起伏揺動を阻止してストッパ６による開口１の一部閉鎖を維持し、挿入部材４の引き抜きにともなうピンヒンジ７の部分がガイド手段Ｂから脱出すると、図８に示すようにストッパ６を起立方向に回動させてストッパ６による開口１の閉鎖をなくして、ケースＫからの商品Ａを取り出し（抜き取り）が可能になる。
【００８３】
その要因は、ガイド手段Ｂから挿入部材４を完全に引き抜かなくても商品Ａの抜き取りができるようにしたが、かならずしも限定されず挿入部材４とストッパ６が一体に設けてあっても差しつかえがない。
【００８４】
勿論、関節部もピンヒンジ７に限定されず、ハーフカットのヒンジなどであってもよい。
【００８５】
また、ケースＫ或いはガイド手段Ｂと挿入部材４との対向面には、挿入部材４の挿入終了にともない係止関係になって挿入部材４の脱出方向（開口１側に向う）のスライドを止める係止手段Ｃが設けてある。
【００８６】
上記の係止手段Ｃは、図示の場合係止関係の解除に困難性をもたせるため（例えば、特願２００４−３７０３６３号）、磁吸されない係止爪１１と磁吸される係止爪１３とを組み合わせたために、挿入部材４に切り込み１０を入れて仕切壁５に対向する周壁３の方向に突出する直列状複数の磁吸されない係止爪１１と、挿入部材４に仕切壁５に向けて突出する磁吸される（図示の場合、鉄片１２を取付けて設けたが、全体の片を磁吸される金属によって設けることもできる）係止爪１３と、挿入部材４の挿入にともない押し戻された磁吸されない係止爪１１と磁吸される係止爪１３とが押し戻され（周壁３や仕切壁５に接触して）、挿入部材４の挿入終了にともない押し戻し力により磁吸されない係止爪１１が嵌り込んで係止関係になるように周壁３に設けた貫通する孔の係止部１４と、押し戻し力により磁吸される係止爪１３が嵌り込んで係止関係になるように仕切壁５に設けた孔や凹入部、突起などの係止部１４とで構成したが、限定されず、磁吸されない係止爪１１の単独、或いは磁吸される係止爪１３の単独であってもよい。
【００８７】
勿論、係止爪１１及び係止部１４の配置位置も上述に限定されることなく、上記の係止関係になるその他の位置、例えば挿入部材４と対向するケースＫの側壁２であってもよい。
【００８８】
Ｔは盗難防止タグである。
【００８９】
要するに、挿入部材４の挿入終了にともない係止手段Ｃの係合関係によって挿入部材４の顧客による抜き取り方向のスライドを止めるようにしてある。
【００９０】
上記係止手段Ｃの係止関係の解除の例としては、例えば、図６に示すように、解除具Ｘの突起Ｙを係止部１４の孔に押し込んで磁吸されない係止爪１１を押し戻して、係止爪１１と係止部１４との係止関係を解除し、磁吸される係止爪１３を解除具Ｘの磁石Ｚによって磁吸することで、係止部１４と係止爪１３との係合関係が解除される。
【００９１】
この状態で、図７に示すように撮み１０４を把持して手前方向にスライダ１０２を引き寄せると、スライダ１０２の突起１０３がストッパ６に引っかかって挿入部材４を脱出方向にスライド（このスライドは、スライダ１０２の引き寄せ停止時にストッパ６のピンヒンジ７がガイド手段Ｂから脱出すると共に、この脱出距離は、前後の係止手段Ｃ間の距離となって、商品ａの抜き取り可能な位置にストッパ６を退避回動させる）するようになっているが、その他の方式、例えば板材や杆材を挿入して係止爪を押し戻し、この押し戻しによって係止爪と係止部との係止関係を解除し、解除後に板材や杆材を引き寄せて挿入部材を脱出方向にスライドさせるように（周知につき図示省略）してもよい。
【００９２】
要するに、係止部１４の孔に突起の嵌入により係止爪１１を押し戻して、係止手段Ｃの係止関係を解除するものであればよい。
【００９３】
さらに、挿入部材４には、電源（電池）２１を保持する警報ブザー２２及び警報ブザー２２のＯＮ、ＯＦＦスイッチ２３が設けてあり、このスイッチ２３の釦２４を作用（ＯＮ、ＯＦＦ）させる作用片２５を、ケースＫに収納した商品Ａにより押し戻して釦２４をプッシュしてスイッチ２３をＯＦＦの状態になるようにケースＫ内に臨ませておく。
【００９４】
上記作用片２５は、仕切壁５の貫孔２６に貫通してケースＫ内に先端側が突出するようになっている。
【００９５】
なお、作用片２５を図示のようにへ字状に屈曲させて（弧状であってもよい）、撓みのある材質によって形成しておくと、図４に示すように収納した商品Ａの上面と仕切壁５の下面との間隙がまちまちであっても、間隙のまちまちを作用片２５を変形させて吸収でき、スイッチ２３のＯＦＦを確実に行なうことができる。
【００９６】
そして、ケースＫの透明によって電源２１、警報ブザー２２及びスイッチ２３（作用片２５も）の透視される問題を、不透明なカバー（図示省略）で隠蔽するようにしておくとよい。
【００９７】
図中２７は作用片２５の揺動支軸、２８は側壁２に設けた窓である。
【００９８】
上記のように構成すると、ショップでの陳列時に顧客によってストッパ６やケースＫ（例えば窓２８の縁からケースＫの周縁に向けてなどによる）の破壊によって、ケースＫから商品Ａを取り出すと、商品Ａによる作用片２５のプッシュが開放されて釦２４の押圧が解かれ、スイッチ２３がＯＮになる。
【００９９】
このため、警報ブザー２２が鳴って商品Ａの盗難を知らせる。
【０１００】
また、係止手段Ｃによる係止関係が解除されて挿入部材４を抜ける方向にスライドさせて抜き取っても、商品Ａによる作用片２５を介しての釦２４のプッシュが開放されてスイッチ２３がＯＮになり、ブザー２２が鳴る。
【０１０１】
なお、ショップでのケースＫに商品Ａを収納する際、挿入部材４を抜ける方向に若干スライドさせてガイド手段Ｂ（図示の場合仕切壁５）と作用片２５との当接により釦２４を図８に示すプッシュ状態にしてスイッチ２３をＯＦＦにするため、警報ブザー２２が鳴らない。
【０１０２】
上記挿入部材４の抜ける方向の若干のスライドは、係止片１１が次の係止部１４に係止関係になる１ピッチのスライドのみでよい。
【０１０３】
すなわち、１ピッチのスライドでピンヒンジ７がガイド手段Ｂから脱出することでストッパ６の揺動（回動）が可能になって開口１から商品Ａの挿入を阻害しない。
【０１０４】
そして、ケースＫに商品Ａを収納したのち、挿入部材４を押し込むことで、商品Ａと作用片２５の当接により釦２４をプッシュしてスイッチ２３をＯＦＦの状態にする。
【０１０５】
この発明の第２の実施形態では、図９に示すように、ガイド手段Ｂの所定位置には、電源２１を保持する警報ブザー２２及び警報ブザー２２のＯＮ、ＯＦＦのスイッチ２３が設けてあり、挿入部材４の挿入終了にともない挿入部材４のプッシュによってスイッチ２３がＯＦＦの状態になるようにしてある。
【０１０６】
上記の警報発生手段の配置位置は、ガイド手段Ｂの奥に設けて、挿入部材４の挿入方向端によってスイッチ２３をＯＦＦにするようにしたが、限定されず、配置位置を適宜決定すればよい。
【０１０７】
そして、第２の実施形態の貫孔２６のないケースＫ、商品Ａ、ストッパ６を有する挿入部材４、ガイド手段Ｂ、係止手段Ｃの構成及び挿入部材４を引き抜くための係止手段Ｃの係止関係を解除する解除具Ｘの作用方法は、第１の実施形態と同様につき説明を省略する。
【０１０８】
また、図示の場合スイッチ２３の釦２４を作用片２５を介しプッシュ（挿入部材４によって）するようにしたが、釦２４を直接プッシュするようにしてもよい。
【０１０９】
上記のように構成すると、ケースＫに商品Ａを収納して、次に挿入部材４を挿入してストッパ６により開口１の一部を閉鎖しておく。
【０１１０】
すると、陳列時のケースＫからの商品Ａの抜き取りがストッパ６により阻止される。
【０１１１】
顧客による係止手段Ｃの係止関係を解除して引き抜き方向に挿入部材４をスライドすると、挿入部材４による釦２４のプッシュが開放されてスイッチ２３がＯＮになり、警報ブザー２２が鳴る。
【０１１２】
このため、商品Ａの盗難を知らせる。
【０１１３】
なお、作用片２５の作用効果は、第１の実施形態と同様につき説明を省略する。
【０１１４】
この発明の第３の実施形態では、図１０から図１３に示すように、箱体３１と、この箱体３１の開口を開閉するように箱体３１の一辺にヒンジ３４を介し設けた蓋体３３とで盗難防止対象物Ａ′の収納用陳列ケースＫ′を形成する。
【０１１５】
上記の箱体３１及び蓋体３３は、図示の場合主壁３５と、この主壁３５の辺縁から連なって主壁３５の裏面側に突出する周壁３６とで構成され、蓋体３３の周壁３６が箱体３１の周壁３６の外側に嵌装するようにしたが、嵌装を逆にすること、或いは周壁３６を突き合わせてもよい。
【０１１６】
そして、両方の周壁３６、３６も図示の場合、主壁３５の辺縁全縁に設けたが、辺縁の必要な部分、例えばコーナー部分のみで、中間が欠落するなど、或いは必要な辺のみに設けることもある。
【０１１７】
上記のヒンジ３４は、図示の場合ピンヒンジを示したが、箱体３１と蓋体３３とを連結する一辺の周壁の連結部分にハーフカットのヒンジを設けることもできる。
【０１１８】
上記の盗難防止対象物Ａ′は、例えばメーカーから出荷されたディスクの収納ケースやビデオテープなどであってもよい。
【０１１９】
また、陳列ケースＫ′の所要位置に設けてある挿入口３７から陳列ケースＫ′に設けてある挿入路としてのガイド手段Ｂ′により案内される挿入部材３８を挿入すると共に、この挿入部材３８と箱体３１及び蓋体３３とに掛合関係によって陳列ケースＫ′の開放阻止の掛合手段Ｄが設けてある。
【０１２０】
上記の挿入口３７を有するガイド手段Ｂ′は、図示の場合箱体３１、蓋体３３の両主壁３５のヒンジ３４に対向する辺縁を周壁３６よりも外方に突出させ、この突出縁からそれぞれ内方（周壁３６に平行して対向するよう）に突出させて陳列ケースＫ′の閉鎖にともない突き合わせるＬ形の連結壁３９と周壁３６とで一端に挿入口３７として開口を有する角筒を形成してガイドとしたが、周壁３６の外側に限定されず、周壁３６の内側に位置するように周壁３６に挿入口３７を、両主壁３５、３５の裏面にレール用の突条を設けてガイド手段（図示省略）とすることもある。
【０１２１】
勿論ガイド手段Ｂ′を構成する周壁３６も図示の場合主壁３５の辺縁全長に設けたが、限定されず、必要な部分、すなわち点在的に設けてもよい。
【０１２２】
要するに、上記構成に限定されず、その他の構成で挿入部材３８の挿入をガイドとすることもある。
【０１２３】
そして、ガイド手段Ｂ′を設ける位置も図示のヒンジ３４に平行する辺縁に限定されない。
【０１２４】
上記の掛合手段Ｄは、図示の場合両連結壁３９に挿入部材３８側に向けて突出する二条の突出条４０を（上側のみに限定されず上下に設けてもよい）設けて、この両突出条４０を断面Ｈ字状挿入部材３８の両側壁４１の縁部で抱き込んで（図１３に示す）、挿入部材３８と箱体３１及び蓋体３３が掛合関係になって陳列ケースＫ′の開放を阻止するようになっているが、その他の掛合手段Ｄによって挿入した挿入部材３８がキーの役目をして陳列ケースＫ′の開放を阻止してもよい。
【０１２５】
例えば、両連結壁３９、３９の対向面を蓋体３３の閉鎖にともない重ねて、この重なり部分の両突出部分（内方に向けての）を挿入部材３８の両側壁４１によって抱き込んで閉鎖維持を（図示省略）はかるようにしてもよい。
【０１２６】
さらに、挿入部材３８と陳列ケースＫ′とには、挿入部材３８の挿入終了にともない係止関係になって挿入部材３８の抜き取り阻止の係止手段Ｃが設けてある。
【０１２７】
上記の係止手段Ｃの構成及び作用、そして挿入部材３８を引き抜くための解除具Ｘを用いた係止手段Ｃの係止関係を解除した状況下での挿入部材３８の引き抜き方法は、第１の実施形態と同様につき説明を省略する。
【０１２８】
勿論、係止手段Ｃも、陳列ケースＫ′の周壁３６や陳列ケースＫ′と一体のガイド手段Ｂ′を構成する連結壁３９などであっても（挿入部材３８と陳列ケースＫ′とに係止手段Ｃを設ける記載による）よい。
【０１２９】
また、挿入部材３８には、電源２１を保持する警報ブザー２２及び警報ブザー２２のＯＮ、ＯＦＦスイッチ２３が設けてあり、このスイッチ２３の釦２４の作用片２５を陳列ケースＫ′に収納してある盗難防止対象物Ａ′と接触して押し戻され、この押し戻しにより釦２４をプッシュしてスイッチ２３をＯＦＦの状態になるようにしてある。
【０１３０】
上記作用片２４の支持、陳列ケースＫ′内の作用片２５を臨ませる構成は、第１の実施形態と同様につき説明を省略する。
【０１３１】
なお、図示の場合、係止部１４は、周壁３６の外側にガイド手段Ｂを設けたため連結壁３９に解除具Ｘの突起Ｙを押し込む貫通の孔と兼用するように設けたが、陳列ケースＫ′内にガイド手段Ｂを設けた場合、周壁３６に係止部１４を設ける。
【０１３２】
上記のように構成すると、陳列ケースＫ′に盗難防止対象物Ａ′を収納して、陳列ケースＡ′を閉鎖したのち、ガイド手段Ｂの案内によって挿入部材３８を挿入し、挿入終了時の係止手段Ｃの係止関係によって挿入部材３８の抜き取りを阻止する。
【０１３３】
このとき、陳列ケースＫ′内の作用片２５を押し戻して釦２４を押すので、スイッチ２３がＯＦＦになる。
【０１３４】
すると、陳列ケースＫ′の開放が阻止されて盗難防止対象物Ａ′の抜き取りが阻止される。
【０１３５】
しかしながら、顧客による係止手段Ｃの係止関係が解除され、開放した陳列ケースＫ′から盗難防止対象物Ａ′を取り出すと、盗難防止対象物Ａ′による作用片２５のプッシュが開放されてスイッチ２３がＯＮになって警報ブザー２２が鳴り、盗難を知らせる。
【０１３６】
なお、作用片２５の作用効果は、第１の実施形態と同様につき説明を省略する。
【０１３７】
この発明の第４の実施形態では、図１４に示すように、陳列用ケースＫの周囲一面には、商品Ａの出し入れ用の開口１が設けてある。
【０１３８】
また、ケースＫには、開口１から開口１の反対方向に向く挿入路としてのガイド手段Ｂが設けてあり、このガイド手段Ｂにより案内されるように挿入部材４を挿入する。
【０１３９】
さらに、挿入部材４の末端には、挿入部材４の挿入終了時に開口１の一部を閉鎖するストッパ６が設けてある。
【０１４０】
また、挿入部材４には、電源２１を保持する警報ブザー２２及び警報ブザー２２のＯＮ、ＯＦＦのスイッチ２３が設けてある。
【０１４１】
また、ケースＫ或いはガイド手段Ｂと挿入部材４との対向面には、挿入部材４の挿入終了にともない係合関係になって挿入部材４の脱出方向（開口１側に向う）スライドを止める係止手段Ｃが設けてある。
【０１４２】
上記のケースＫ、ガイド手段Ｂ、ストッパ６を有する挿入部材４及び係止手段Ｃは、第１の実施形態と同様につき構成、作用効果を省略する。
【０１４３】
そして、解除具Ｘを用いた係止手段Ｃの係止関係の解除も第１の実施形態と同様につき説明を省略する。
【０１４４】
上記スイッチ２３の釦２４をガイド手段Ｂの仕切壁５に設けてある透孔５１に貫通させてケースＫ内（商品Ａの収納空間に）に臨ませて、上記釦２４の突出端と収納した商品Ａとの接触にともない釦２４をプッシュしてスイッチ２３がＯＦＦの状態になるようにする。
【０１４５】
すると、ショップでの陳列時に顧客によってストッパ６やケースＫが破壊され、ケースＫから商品Ａを取り出すと、商品Ａによる釦２４のプッシュが開放されてスイッチ２３がＯＮになる。
【０１４６】
このため、警報ブザー２２が鳴って商品Ａの盗難を知らせる。
【０１４７】
この発明の第５の実施形態では、図１０、１１、１３、１５に示すように、箱体３１と、この箱体３１の開口を開閉するように箱体３１の一辺にヒンジ３４を介し設けた蓋体３３とで盗難防止対象物Ａ′の陳列ケースＫ′を形成する。
【０１４８】
そして、ケースＫ′の所要位置に設けてある挿入口３７からケースＫ′に設けてある挿入路としてのガイド手段Ｂ′により案内される挿入部材３８を挿入すると共に、この挿入部材３８と箱体３１及び蓋体３３とに陳列ケースＫ′の開放を阻止する掛合手段Ｄを設け、挿入部材３８とケースＫ′とに挿入部材３８の挿入終了にともない係合関係になって挿入部材３８の抜き取り方向のスライドを止める係止手段Ｃを設けておく。
【０１４９】
上記のケースＫ′、挿入口３７を有するガイド手段Ｂ′、掛合手段Ｄ、係止手段Ｃの構成並びに作用効果は、第３の実施形態と同様につき説明を省略する。
【０１５０】
そして、係止手段Ｃの係止関係の解除（解除具Ｘを用いての）方式は、第１の実施形態と同様につき説明を省略する。
【０１５１】
また、挿入部材３８には、電源２１を保持する警報ブザー２２及び警報ブザー２２のＯＮ、ＯＦＦのスイッチ２３が設けてある。
【０１５２】
そして、スイッチ２３の釦２４をガイド手段Ｂ′内とケースＫ′とが連通する透孔５１（この透孔５１は、図示の場合、周壁３６に設ける）に貫通させてケースＫ′内に臨ませ、釦２４の突出端とケースＫ′に収納した盗難防止対象物Ａ′との接触により釦２４をプッシュして、スイッチ２３がＯＦＦの状態になる。
【０１５３】
すると、ショップでの陳列時に顧客によりケースＫ′が破壊され、或いは挿入部材３８を引き抜いてケースＫ′を開放して盗難防止対象物Ａ′を取り出すと釦２４のプッシュが開放されてスイッチ２３がＯＮになるので、警報ブザー２２が鳴り、盗難を知らせる。
【０１５４】
この発明の第６の実施形態では、第１の実施形態から第５の実施形態の挿入部材４、３８の所定位置（なお、解除にともなう磁吸される係止爪１３の係止関係解除される磁石Ｚから遠く離れた位置に設けて、磁石Ｚにより影響を受けないようにする）には、盗難防止タグＴが設けてある。
【０１５５】
上記のタグＴは、周知のように、例えば固有のＩＤコードをもち、ショップの出入口を通過の際、出入口に設置の高周波電磁界の発生により共振回路が共振して固有のＩＤコードの発信にともない高周波電磁界を変調させるもので、店外へのケースＫ、Ｋ′の持ち出しを検出する。
【０１５６】
この発明の第７の実施形態では、図１６、１７に示すように、周囲の一面に商品Ａの出し入れ用の開口１を有する陳列用のケースＫと、このケースＫに開口１から開口１の反対方向に向けて設けた挿入路としてのガイド手段Ｂと、このガイド手段Ｂにより案内されてスライドするように設けた挿入部材４と、この挿入部材４の開口１側端に開口１の一部を閉鎖するように設けたストッパ６と、ケースＫ或いはガイド手段Ｂと挿入部材４との対向面に挿入部材４の挿入にともない押し戻され、挿入部材４の挿入終了にともない挿入部材４の抜き取り方向（脱出方向）のスライドを止める係止関係になる係止手段Ｃとで盗難防止装置を形成する。
【０１５７】
上記のケースＫ、ガイド手段Ｂ、ストッパ６付の挿入部材４は、第１の実施形態と同様につき構成並びに作用の説明を省略する。
【０１５８】
上記の係止手段Ｃは、挿入部材４の周囲所要面に挿入部材４の挿入にともない押し戻される所要数の磁吸されない係止爪６１と、ケースＫの係止爪６１と対向する壁に係止爪６１が嵌り込んで係止関係になるように設けた貫通孔６２とで構成されている。
【０１５９】
上記の係止爪６１は、挿入部材４のスライド方向の線上に複数並べて設けると共に、挿入部材４の周壁３に対向する面に設けたが、側壁２側に設けることもある。
【０１６０】
そして、貫通孔６２も、係止爪６１に対向する周壁３に設けたが、係止爪６１の配置位置の対向する壁例えば側壁２に設ける。
【０１６１】
上記の係止爪６１は、第１の実施形態と同様に挿入部材４の合成樹脂による成形の際切り込み１０を入れて、この切り込み１０の内側に挿入部材４と一体に設けたが、別部品を取付けて設けることもできる。
【０１６２】
上記のように構成すると、開口１からケースＫに商品Ａを収納したのち、ガイド手段Ｂにより案内させて挿入部材４を挿入する。
【０１６３】
挿入部材４の挿入終了にともない係止手段Ｃの係止爪６１と貫通孔６２との係止関係によって挿入部材４の抜取り方向のスライドが阻止される。
【０１６４】
そして、ストッパ６により開口１の一部を閉鎖するので、ケースＫからの商品Ａの抜き取りを阻止して、盗難防止に役立つ。
【０１６５】
係止手段Ｃの係止関係の解除は、第１の実施形態の磁石のない解除具の突起と貫通孔６２とを合致させたのち、貫通孔６２に突起を押し込むことで、貫通孔６２に対する係止爪６１の係止関係が解除されて、挿入部材４の抜き取り方向のスライドが可能になり、挿入部材４を抜き取るが、或いは次の貫通孔６２と係止爪６１との係止関係になる挿入部材４の１ピッチのスライドのみで止めたのち、関節支点をもつストッパ６を引き上げて商品Ａの取り出しを行なう。
【０１６６】
なお、係止爪６１の数や配列は、適宜決定すればよい。
【０１６７】
また、挿入部材４には、盗難防止タグＴが設けてある。
【０１６８】
すると、ケースＫの店外への持ち出しが検出されて、盗難防止に効果を発揮する。
【０１６９】
上記の盗難防止タグＴは、第６の実施形態と同様につき説明を省略する。
【０１７０】
この発明の第８の実施形態では、図１８、１９に示すように、係止手段Ｃが、挿入部材４に周囲所要面に設けた磁吸されない係止爪６１と、磁吸される係止爪６３の併設と、ケースＫの壁に挿入部材４の挿入終了にともない係止爪６１が係止関係になる貫通孔６２及び挿入部材４の挿入にともない係止爪６３が係止関係になる係合部６４とで構成されている。
【０１７１】
上記第８の実施形態のケースＫ、ガイド手段Ｂ、ストッパ６を有する挿入部材４係止爪６１は、第７の実施形態と同じ、すなわち第１の実施形態と同様に、また、磁吸されない係止爪６１及び磁吸される係止爪６３の解除具Ｚを用いた係止関係の解除及びストッパ６による商品Ａの抜き取り阻止は、第１の実施形態と同様につき説明を省略する。
【０１７２】
そして、磁吸される係止爪６３は、図示の場合係止爪６１と同様に合成樹脂による挿入部材４の成形の際、切り込み１０を入れて、この切り込みの内側に設けると共に、鉄片１２を固着して磁吸されるようにしたが、挿入部材４に全体が金属製の係止爪６３の端末を取付けて設けることもできる。
【０１７３】
上記係止爪６１は、図示の場合挿入部材４の周壁３に対向する面に、係止爪６３は、ガイド手段Ｂの仕切壁５に対向する面に設けたが、限定されず、挿入部材４の周囲四面の所望の面に設ければよい。
【０１７４】
当然、貫通孔６２、係合部６４も係止爪６１、６３に対向するように設ける。
【０１７５】
係止部６４は、凹入部や突条などで設ける。
【０１７６】
上記磁吸されない係止爪６１と磁吸される係止爪６３と併設の要因は、かりに細い杆などで係止爪６１が押し戻されて、貫通孔６２に対する係止関係が解除されても、隠蔽状態にある係合部６４と、磁吸された係止爪６３とで解除ができない（困難になる）特有効果を発揮することにある。
【０１７７】
すなわち、周知の単独の磁吸されない係止爪や磁吸される係止爪の場合のような係止関係の解除されやすい問題を解消することにある。
【０１７８】
そして、挿入部材４に盗難防止タグＴを設けて、ケースＫの店外への持ち出しを検出して、盗難防止に効果を発揮させる。
【０１７９】
上記の盗難防止タグＴは、第６の実施形態と同様につき説明を省略する。
【０１８０】
なお、各実施形態の開口１を有するケースＫは、図１に示す周囲の一面に開口１を設けた合成樹脂による一体成形品に限定されず、図２０に示すように、周囲の一面に開口１を形成し、かつ第３の実施形態と同様に一辺をヒンジ３４により連結した箱体３１と蓋体３３とからなり、開口側に挿入口３７を有するガイド手段Ｂ′を設けて、ガイド手段Ｂ′により案内される挿入部材３８を挿入すると共に、第３の実施形態と同様の掛合手段Ｄにより箱体３１に対し蓋体３３の開放を阻止したケースＫを用いることもある。
【０１８１】
当然、挿入部材３８には、ストッパ６が設けてある。
【０１８２】
なお、第４の実施形態第７及び第８の実施形態のストッパ６は、いずも関節支点のピンヒンジ７を有するが、ピンヒンジ７の有無は自由である。
【０１８３】
ピンヒンジ７を介し設けておくと、第１の実施形態と同様にガイド手段Ｂからピンヒンジ７が脱出すると、ストッパ６を起こしてストッパ６による開口１の閉鎖を解除することができる。
【０１８４】
この発明の第９の実施形態では、図２１、２２、２３に示すように、ケースＫの周囲一面には、商品Ａの出し入れ用の開口１が設けてある。
【０１８５】
上記のケースＫの構成及び商品Ａの説明は、第１の実施形態と同様につき説明を省略する。
【０１８６】
また、ケースＫに開口１から開口１の反対方向に向く挿入路としてのガイド手段Ｂを設けて、このガイド手段Ｂに挿入部材４を挿入すると共に、この挿入部材４の末端（挿入方向の反対側端）には、挿入部材４の挿入終了にともない開口１の一部を閉鎖して商品Ａの抜き取りを阻止するストッパ６が設けてある。
【０１８７】
上記のガイドＢは、第１の実施形態と同様につき説明を省略する。
【０１８８】
上記のストッパ６は、ピンヒンジ７を介し設けたが、ピンヒンジ７の有無に関係がなく、又ピンヒンジ７による作用効果も第１の実施形態と同様につき説明を省略する。
【０１８９】
さらに、ケースＫ或いはガイド手段Ｂと挿入部材４との対向面には、挿入部材４の挿入にともない押し戻され、挿入終了にともない係止関係になって挿入部材４の引き抜き方向のスライドを止める第８の実施形態と同様の係止手段Ｃとしての係止爪６１と貫通孔６２とが設けてある。
【０１９０】
上記の係止爪６１は、挿入部材４の挿入方向の線上に複数（数は、図示に限定されない）設けてあり、貫通孔６２は、ケースＫの壁（周壁３）に挿入部材４の挿入終了にともない係止爪６１が嵌り込んで係止関係になるように設けてある。
【０１９１】
上記の係止爪６１の構成は、第１の実施形態と同様につき説明を省略する（別部品を取付けて設けることもある）。
【０１９２】
そして、ショップ側による係止手段Ｃの解除具を用いての係合関係の解除方式も、第１の実施形態と同様につき説明を省略する。
【０１９３】
また、挿入部材４には、係止関係の解除状況下からの係止爪６１の押し込みを阻止するストッパ１０１が設けてある。
【０１９４】
上記のストッパ１０１は、図示の場合挿入部材４の合成樹脂による成型の際一体に成型して設けたが、別部品の取付などで設けることもできる。
【０１９５】
そして、ストッパ１０１を設ける要因は、顧客によって貫通孔６２に細い杆や棒１１１（図２２鎖線に示すように）を押し込みながら係止爪６１を押し戻すと、ストッパ１０１に係止爪６１自由端側が当接（図２２に示すように）して、係止関係の解除状況下からの係止爪６１の押し込み（解除状況下からの）が阻止される。
【０１９６】
すると、無理矢理な押し込みにともない奥深い位置迄の係止爪６１の押し込みが阻止されて、係止爪６１の挿入部材４に対する連結部分の剪断（破断）がない。すなわち、各係止爪６１の剪断による係止手段Ｃの係止関係の解除がなくなって、盗難防止に役立つ。
【０１９７】
なお、図示の場合、挿入部材４に第１の実施形態と同様の電源２１を保持した警報ブザー２２、スイッチ２３、釦２４の作用片２５を設け、また磁吸されない係止爪６１に磁吸される係止爪１３を併設して盗難防止におおいに効果を発揮するようにしたが、警報ブザー２２や磁吸される係止爪１３の有無は適宜決定すればよい。
【０１９８】
この発明の第１０の実施形態では、図２４、２５、２６（図１０、１１、１４に示す）に示すように、箱体３１と、この箱体３１の開口を開閉するように箱体３１の一辺にヒンジ３４を介し設けた蓋体３３とで盗難防止対象物Ａ′の収納用陳列ケースＫ′を形成する。
【０１９９】
上記の盗難防止対象物Ａ′の説明及び陳列ケースＫ′の構成は、第３の実施形態と同様につき説明を省略する。
【０２００】
また、陳列ケースＫ′の所要位置に設けてある挿入口３７から陳列ケースＫ′に設けてある挿入路としてのガイド手段Ｂ′により案内される挿入部材３８を挿入すると共に、この挿入部材３８と箱体３１及び蓋体３３とに掛合関係によって陳列ケースＫ′の開放を阻止する掛合手段Ｄ（図１４に示す）が設けてある。
【０２０１】
上記の挿入口３７を有するガイド手段Ｂ′の構成及び掛合手段Ｄの構成、作用効果は、第３の実施形態と同様につき説明を省略する。
【０２０２】
さらに、挿入部材３８と陳列ケースＫ′とには、挿入部材３８の挿入にともない押し戻され、挿入終了にともない係止関係になって挿入部材３８の抜き取り阻止のスライドを止める第８、第９の実施形態と同様の係止手段Ｃとしての係止爪６１と貫通孔６２とが設けてある。
【０２０３】
上記の係止爪６１は、挿入部材３８の挿入方向の線上に複数（数は、図示に限定されない）設けてあり、貫通孔６２は、陳列ケースＫ′の壁に挿入部材３８の挿入終了にともない係止爪６１が嵌り込んで係止関係になるように設けてある。
【０２０４】
上記の係止爪６１の構成は、第１の実施形態と同様につき説明を省略する（別部品を取付けて設けることもある）。
【０２０５】
そして、ショップ側による係止手段Ｃの解除具を用いての係止関係の解除方式も第１の実施形態と同様につき説明を省略する。
【０２０６】
また、挿入部材３８には、係止関係の解除状況下からの係止爪６１の押し込みを阻止するストッパ１０１が設けてある。
【０２０７】
上記のストッパ１０１は、図示の場合挿入部材３８の合成樹脂による成型の際一体に成型して設けたが、別部品の取付けなどで設けることもできる。
【０２０８】
そして、ストッパ１０１を設ける要因は、顧客によって貫通孔６２に細い杆や棒（図２２に示すように）を押し込みながら係止爪６１を押し戻すと、ストッパ１０１に係止爪６１の自由端側が当接して、係止爪６１の押し込み（解除状況下からの）が阻止される。
【０２０９】
すると、無理矢理な押し込みにともない奥深い位置迄の係止爪６１の押し込みが阻止されて、係止爪６１の挿入部材３８に対する連結部分の剪断（破断）がない。すなわち、各係止爪６１の剪断による係止手段Ｃの解除がなくなって、盗難防止に役立つ。
【０２１０】
なお、図示の場合、挿入部材３８に第１の実施形態と同様の電源２１を保持した警報ブザー２２、スイッチ２３、釦２４の作用片２５を設け、また磁吸されない係止爪６１に磁吸される係止爪１３を併設して盗難防止におおいに効果を発揮するようにしたが、警報ブザー２２や磁吸される係止爪１３の有無（併設）は適宜決定すればよい。
【０２１１】
また、第９の実施形態の挿入部材４及び第１０の実施形態の挿入部材３８には、盗難防止タグＴが設けてある。
【０２１２】
上記のタグＴは、第６の実施形態と同様につき説明する。
【０２１３】
すると、店外へのケースＫ、Ｋ′の店外への持ち出しが検出できる。
【０２１４】
この発明の第１１の実施形態では、図２７、２８に示すように、ケースＫの周囲一面には、商品Ａの出し入れ用の開口１が設けてあり、またケースＡに開口１から開口１の反対方向に向く挿入路としてのガイド手段Ｂを設けて、このガイド手段Ｂに挿入部材４を挿入すると共に、この挿入部材４の末端（挿入方向の反対側端）には、挿入部材４の挿入終了にともない開口１の一部を閉鎖して商品Ａの抜き取りを阻止するストッパ６が設けてある。
【０２１５】
上記のケースＫの構成、商品Ａの説明及びガイド手段Ｂは、第１の実施形態と同様につき説明を省略する。
【０２１６】
そして、ストッパ６は、ピンヒンジ７を介して設けたが、ピンヒンジ７の有無に関係がなく、又ピンヒンジ７による作用効果も第１の実施形態と同様につき説明を省略する。
【０２１７】
また、ケースＫ或いはガイド手段Ｂと挿入部材４との対向面には、挿入部材４の挿入にともない押し戻され、挿入終了にともない係止関係になって挿入部材４の引き抜き方向のスライドを止める第８の実施形態と同様の係止手段Ｃとしての係止爪６１と貫通孔６２とが設けてある。
【０２１８】
上記の係止爪６１は、挿入部材４の挿入方向の線上に複数（数は、図示に限定されない）設けてあり、貫通孔６２は、ケースＫの壁（周壁３）に挿入部材４の挿入終了にともない係止爪６１が嵌り込んで係止関係になるように設けてある。
【０２１９】
上記の係止爪６１の構成は、第１の実施形態と同様につき説明を省略する（別部品を取付けて設けることもある）。
【０２２０】
そして、ショップ側による係止手段Ｃの解除具を用いての係合関係の解除方式も、第１の実施形態と同様につき説明を省略する。
【０２２１】
さらに、係止爪６１には、係止爪６１の押し戻しによる係止関係の解除位置でケースＫやガイド手段Ｂ或いは挿入部材４に当接して係止爪６１の押し込みを阻止するストッパ突部１２１が設けてある。
【０２２２】
上記のストッパ突部１２１は、図示の場合合成樹脂による成型の際係止爪６１と一体に成型して係止爪６１の自由端側に設けたが、係止爪６１に別部品のストッパ突部１２１を固着して設けてもよい。
【０２２３】
上記係止爪６１の押し込み阻止のストッパ突部１２１の当接点（部位）は、図２７、２８に示すように、挿入部材４に図示一側面が開放する溝形材を用いた場合、溝形材の底側壁（図示）の上面にストッパ突部１２１を当接するようにするか、又は挿入部材４に下面が開放する溝形材（図示省略）を用いた場合、開放面側に位置する仕切壁５にストッパ突部１２１を当接するようにするか、更にガイド手段Ｂを構成するケースＫの片方側壁２の内面から突出する突出壁（図示省略）にストッパ突部１２１を当接するようにしてもよい。
【０２２４】
そして、ストッパ突部１２１を設ける要因は、顧客によって貫通孔６２に細い杆や棒を押し込みながら（第９の実施形態の図２２参照）係止爪６１を押し戻すと、ストッパ突部１２１と係止爪６１の自由端側との当接によって係止関係の解除状況下からの係止爪６１の押し込みが阻止される。
【０２２５】
すると、無理矢理な押し込みにともない発生した係止爪６１の挿入部材４に対する連結部分の剪断（破断）がない。すなわち、係止爪６１の剪断による係止手段Ｃの係止関係の解除がなくなって盗難防止効果に役立つ。
【０２２６】
なお、図示の場合、挿入部材４に第１の実施形態と同様の電源２１を保持した警報ブザー２２、スイッチ２３、釦２４の作用片２５を設け（図示省略）、また磁吸されない係止爪６１に磁吸される係止爪１３を併設して、盗難防止におおいに効果を発揮することもある。勿論、警報を発する手段や磁吸される係止爪１３の有無は、適宜決定すればよい。
【０２２７】
この発明の第１２の実施形態では、図２９、３０（図１０、１１にも示す）にも示すように、箱体３１と、この箱体３１の開口を開閉するように箱体３１の一辺にヒンジ３４を介し設けた蓋体３３とで盗難防止対象物Ａ′の収納用陳列ケースＫ′を形成する。
【０２２８】
上記の盗難防止対象物Ａ′の説明及び陳列ケースＫ′の構成は、第３の実施形態と同様につき説明を省略する。
【０２２９】
また、陳列ケースＫ′の所要位置に設けてある挿入口３７から陳列ケースＫ′に設けてある挿入路としてのガイド手段Ｂ′により案内される挿入部材３８を挿入すると共に、この挿入部材３８と箱体３１及び蓋体３３とに掛合関係によって陳列ケースＫ′の開放を阻止する掛合手段Ｄ（図１４に示す）が設けてある。
【０２３０】
上記の挿入口３７を有するガイド手段Ｂ′の構成及び掛合手段Ｄの構成、作用効果は、第３の実施形態と同様につき説明を省略する。
【０２３１】
さらに、挿入部材３８と陳列ケースＫ′とには、挿入部材３８の挿入にともない押し戻され、挿入終了にともない係止関係になって挿入部材３８の抜き取り阻止のスライドを止める第８、第９の実施形態と同様の係止手段Ｃとしての係止爪６１と貫通孔６２とが設けてある。
【０２３２】
上記の係止爪６１は、挿入部材３８の挿入方向の線上に複数（数は、図示に限定されない）設けてあり、貫通孔６２は、陳列ケースＫ′の壁に挿入部材３８の挿入終了にともない係止爪６１が嵌り込んで係止関係になるように設けてある。
【０２３３】
上記係止爪６１の構成は、第１の実施形態と同様につき説明を省略する（別部品を取付けて設けることもある）。
【０２３４】
そして、ショップ側に係止手段Ｃの解除具を用いての係止関係の解除方式も第１の実施形態と同様につき説明を省略する。
【０２３５】
また、係止爪６１には、係止爪６１の押し戻しによる係止関係の解除位置でケースＫ′やガイド手段Ｂ′或いは挿入部材３８に当接して係止爪６１の押し込みを阻止するストッパ突部１２１が設けてある。
【０２３６】
上記のストッパ突部１２１の構成、当接点の部位及び設ける要因は、第１１の実施形態と同様につき説明を省略する。
【０２３７】
そして、作用効果も同様につき説明を省略する。
【０２３８】
なお、図示の場合、挿入部材３８に第１の実施形態と同様の電源２１を保持した警報ブザー２２、スイッチ２３、釦２４の作用片２５を設け（図示省略）、また磁吸されない係止爪１６に磁吸される係止爪１３を併設して、盗難防止におおいに効果を発揮することもある。勿論、警報を発する手段や、磁吸される係止爪１３の有無は、適宜決定すればよい。
【０２３９】
また、第１１及び第１２の実施形態の挿入部材４、３８には、盗難防止タグＴが設けてある。
【０２４０】
上記のタグＴは、第６の実施形態と同様につき説明を省略する。
【０２４１】
すると、店外へのケースＫ、Ｋ′の持ち出しが検出できる。
【０２４２】
なお、各実施形態のケースＫ或いはガイド手段Ｂと挿入部材との対向面に係止手段Ｃを設けた記載において、ガイド手段側にあっては、ケース内に設けた仕切壁５に、ケース側にあっては、ケースの周壁３以外の側壁２に設けることができるためにある。
【０２４３】
また、ケースＫや陳列ケースＫ′に設ける挿入路としてのガイド手段Ｂ、Ｂ′は、ケースＫや陳列ケースＫ′の商品Ａや盗難防止対象物Ａ′の収納空間内に並列状に設けたり、或いはケースＫや陳列ケースＫ′の周壁３、３６の外側に並列して設けてもよい。
【０２４４】
そして、ケースＫや陳列ケースＫ′とガイド手段Ｂ、Ｂ′とが一体になるので、ガイド手段Ｂ付のケースＫ、ガイド手段Ｂ′付の陳列ケースＫ′となる。
【０２４５】
この発明の第１３の実施形態では、図３１、３２に示すように、第１の実施形態のケースＫの側壁２に設ける収納商品Ａの見える窓２８を、人手による作用片２５の押し込み阻止の障害部１３１を残して設ける。
【０２４６】
上記窓２８に残す障害部１３１の形状は、図示の場合、挿入する指Ｈやその他の挿入物の先が作用片２５に届かないように、例えば弧状に突出させて設けたが、限定されず、例えば窓２８の開放面積の減少に差しつかえがない場合、ガイド手段Ｂに平行させて設けてもよい。要するに、挿入物（指など）によって作用片２５の押し込みを阻止する。
【０２４７】
なお、ケースＫの構成（開口１、ガイド手段Ｂ）は、第１の実施形態と同様につき、また貫孔２６を有するガイド手段Ｂにより案内されて挿入するストッパ６付の挿入部材４、さらに挿入部材４の挿入終了にともない係止関係になって挿入部材４の脱出方向のスライドを止める係止手段Ｃ、挿入部材４に設けた電源２１、警報ブザー２２、釦２４のＯＮ、ＯＦＦ用作用片２５を有するスイッチ２３の構成並びに作用効果は、第１の実施形態と同様につき説明を（勿論、解除方式も同様につき説明を）省略する。
【０２４８】
上記のように構成すると、第１の実施形態の説明のようにストッパ６やケースＫの破壊によってケースＫから商品Ａを取り出すと、商品Ａによる作用片２５のプッシュが開放されて釦２４の押圧が解かれ、スイッチ２３がＯＮになって警報ブザー２２が鳴る。
【０２４９】
しかしながら、警報ブザー２２が鳴った直後に窓２８からケースＫ内に指Ｈを差し込んで作用片２５を押し込んで釦２４をプッシュ（このプッシュは、鳴っている警報ブザー２２を止める目的のため）しようとしても、障害部１３１によって作用片２５に指先が届くのを阻止する。
【０２５０】
このため、警報ブザー２２を止めることができず、盗難を知らせつづけて、盗難防止に大いに役立つ。
【０２５１】
なお、図示のように障害部１３１の突出方向の縁に差し込む指に痛みを与える鋸歯状の尖部１３２を設けておくと、指の差し込みを躊躇させることができる。
【０２５２】
また、窓２８は、両側の側壁２、２にそれぞれ設けることもある。
【０２５３】
その際、両方の窓２８に障害部１３１を設けておく。
【０２５４】
この発明の第１４の実施形態では、図３３に示すように、第４の実施形態のケースＫの側壁２に設ける収納商品Ａの見える窓２８を、人手による釦２４の押し込み阻止の障害部１３１を残して設けてある。
【０２５５】
上記窓２８に残す釦２４の押し込み阻止の障害部１３１（形状）は、第１３の実施形態と同様につき説明を省略する。
【０２５６】
なお、ケースＫの構成（開口１、ガイド手段Ｂ）、ガイド手段Ｂにより案内されて挿入するストッパ６付の挿入部材４、挿入部材４の挿入終了にともない係止関係になって挿入部材４の脱出方向のスライドを止める係止手段Ｃは、第１の実施形態と同様につき説明を省略する。
【０２５７】
そして、第４の実施形態と同様に、挿入部材４には、電源２１を保持する警報ブザー２２及び警報ブザー２２のＯＮ、ＯＦＦのスイッチ２３が設けてあり、スイッチ２３の釦２４は、ガイド手段Ｂの仕切壁５に設けてある透孔５１に貫通させてケースＫ内に臨ませて、釦２４の突出端と収納した商品Ａとの接触にともない釦２４をプッシュしてスイッチ２３がＯＦＦの状態になるようにしてある。
【０２５８】
すると、第４の実施形態と同様の作用効果がある。
【０２５９】
上記のように構成すると、第４の実施形態の説明のようにストッパ６やケースＫが破壊され、ケースＫから商品Ａを取り出すと、商品Ａによる釦２４のプッシュが開放されてスイッチ２３がＯＮになって警報ブザー２２が鳴る。
【０２６０】
しかしながら、警報ブザー２２が鳴った直後に窓２８からケースＫ内に指Ｈを差し込んで釦２４をプッシュしようとしても障害部１３１によって釦２４に指先が届くのを阻止し、鳴りつづける警報ブザー２２によって盗難を知らせる。
【０２６１】
なお、障害部１３１の突出方向の縁に鋸歯状の尖部１３２を設けて、第１３の実施形態と同様の効果を発揮させることもある。
【０２６２】
そして、ケースＫの両側壁２に障害部１３１を有する窓２８を設けることもある。
【０２６３】
この発明の第１５の実施形態では、図３４、３５に示すように、第３の実施形態の陳列ケースＫ′の主壁３５に設けた収納盗難防止対象物Ａ′の見える窓２８を、人手による作用片２５の押し込み阻止の障害部１３１を残して設ける。
【０２６４】
上記窓２８に残す作用片２５の押し込み阻止の障害部１３１（形状）は、第１３の実施形態と同様につき説明を省略する。
【０２６５】
なお、陳列ケースＫ′の構成、ガイド手段Ｂ′、電源２１を保持する警報ブザー２２、スイッチ２３、スイッチ２３の釦２４をプッシュする作用片２５（収納した盗難防止対象物Ａ′によって押し戻す）を有する挿入部材３８、挿入部材３８の挿入終了にともない係止関係になって挿入部材３８の抜き取り阻止する係止手段Ｃ、挿入部材３８の挿入によって陳列ケースＫ′の開放を阻止する掛合手段Ｄの構成及び作用効果は、第３の実施形態と同様につき、また係止手段Ｃの係止関係を解除する解除方式も第１の実施形態と同様につき説明を省略する。
【０２６６】
上記のように構成することによって陳列ケースＫ′を破壊して収納してある盗難防止対象物Ａ′を取り出すと、作用片２５のプッシュが開放されて警報ブザー２２が鳴る。
【０２６７】
そこで、警報ブザー２２が鳴った直後に窓２８から陳列ケースＫ′内に指を差し込んで作用片２５をプッシュしようとしても、障害部１３１によって作用片２５に指先が届くのを阻止して、警報ブザー２２を止めることができず、鳴りつづける警報ブザー２２によって盗難を知らせる。
【０２６８】
なお、１３の実施形態と同様に両方の主壁３５に窓２８を設けることもあり、また障害部１３１に尖部１３２を設けることもある（尖部１３２の作用効果は、第１３の実施形態と同様につき説明を省略する）。
【０２６９】
この発明の第１６の実施形態では、図３６に示すように、第５の実施形態の陳列ケースＫ′の主壁３５に設けた収納盗難防止対象物Ａ′の見える窓２８を、人手による釦２４の押し込み阻止の障害部１３１を残して設ける。
【０２７０】
上記窓２８に残す釦２４の押し込み阻止の障害部１３１（形状）は、第１３の実施形態と同様につき説明を省略する。
【０２７１】
なお、陳列ケースＫ′の構成、ガイド手段Ｂ′、電源２１を保持する警報ブザー２２、スイッチ２３のＯＮ、ＯＦＦの釦２４（この釦２４は、収納した盗難防止対象物Ａ′によって押し戻す）を有する挿入部材３８、挿入部材３８の挿入終了にともない挿入部材３８の抜き取りを阻止する係止手段Ｃ、挿入部材３８の挿入によって陳列ケースＫ′の開放を阻止する掛合手段Ｄの構成及び作用効果は、第３の実施形態と同様につき、また係止手段Ｃの係止関係を解除する解除方式も第１の実施形態と同様につき説明を省略する。
【０２７２】
上記スイッチ２３の釦２４は、ガイド手段Ｂ′を構成する仕切壁５の透孔５１に貫通させて陳列ケースＫ′内に臨ませてある。
【０２７３】
上記のように構成すると、陳列ケースＫ′を破壊して収納してある盗難防止対象物Ａ′を取り出すと、釦２４のプッシュが開放されて警報ブザー２２が鳴る。
【０２７４】
そこで、警報ブザー２２が鳴った直後に窓２８から陳列Ｋ′内に指Ｈを差し込んで釦２４をプッシュしようとしても、障害部１３１によって釦２４に指先が届くのを阻止して、警報ブザー２２を止めることができず、鳴りつづける警報ブザー２２によって盗難を知らせる。
【０２７５】
なお、１３の実施形態と同様に両方の主壁３５に窓２８を設けることもあり、また障害部１３１に尖部１３２を設けることもある（尖部１３２の作用効果は、第１３の実施形態と同様につき説明を省略する）。
【０２７６】
この発明の第１７、１８の実施形態では、図３７から図４１に示すように、第１３及び第１４の実施形態に示す側壁２に窓２８を設けたケースＫの側壁２には、開口１から商品Ａのスライド収納にともない復帰力に抗して（図４７に示すように）押し戻され、商品Ａの脱出方向のスライドにともない復帰すると共に、人手による作用片２５（第１７の実施形態の場合）の、また釦２４（第１８の実施形態の場合）の押し戻し阻止の障害片１４１が設けてある。
【０２７７】
上記の障害片１４１は、例えば図示の場合、合成樹脂製ケースＫの側壁２に両端がガイド手段Ｂ、Ｂ′の方向に向く弧状やコ字状に類似する切り込み１４２を入れて、この切り込み１４２の内側を側壁２の内側に向けて押し出し、また障害片１４１の商品Ａの収納スライド先行面と対向する辺縁に商品Ａの衝突にともなう突っ張りを阻止してスムーズに障害片１４１を押し広げる傾斜縁部１４４を設けて商品Ａの収納スライドが容易になるようにする。
【０２７８】
すると、ケースＫを破壊して商品Ａを取り出すと、障害片１４１がケースＫ内に復帰して、窓２８からの挿入物（例えば指Ｈやドライバや棒などによる）により第１７の実施形態にあっては、作用片２５を、第１８の実施形態にあっては、釦２４をプッシュしようとしても作用片２５や釦２４を被う障害片１４１により阻止して警報ブザー２２を止めることができない。
【０２７９】
このため、警報ブザー２２が鳴りつづけて盗難を知らせる。
【０２８０】
なお、障害片１４１は、図示の場合、両側壁２に設けたが、片方の側壁２側のみであってもよい。
【０２８１】
また、切り込み１４２を入れて設けたが、側壁２の内面に別の障害片１４１を固着して設けることもある。
【０２８２】
そして、図示のように、第１３、１４の実施形態の障害部１３１と障害片１４１を併設してもよい。
【０２８３】
この発明の第１９、２０の実施形態では、図４２から図４６に示すように、第１５及び第１６の実施形態に示す主壁３５に窓２８を有する合成樹脂製の陳列ケースＫ′の主壁３５には、陳列ケースＫ′に収納する盗難防止対象物により復帰力に抗して押し戻され、盗難防止対象物Ａ′の取り出しにともない復帰すると共に、人手による作用片２５（第１９の実施形態の場合）の、また釦２４（第２０の実施形態の場合）の押し戻し阻止の障害片１４１が設けてある。
【０２８４】
上記障害片１４１は、主壁３５に切り込み１４２を入れて、この切り込み１４２の内側を主壁３５の内側に押し出して設けたが、主壁３５の内面に別部品の障害片１４１を固着して設けることもできる。
【０２８５】
上記のように構成すると、第１７、１８の実施形態と同様の特有な効果を発揮（作用は同様につき説明を省略する）する。
【０２８６】
なお、図示のように、障害片１４１の自由端縁の内面（収納空間側に傾斜縁部１４４を設けておくことにより、商品Ａや盗難防止対象物Ａ′との衝突による突っぱりを阻止して、スムーズに障害片１４１を外方に押し逃がすことができる。
【０２８７】
この発明の第２１の実施形態では、第７、８、９、１０、１１、１２、１３、１４、１５、１６及び１７の挿入部材４、挿入部材３８に盗難防止タグＴを設ける。
【０２８８】
上記の盗難防止タグＴは、第６の実施形態と同様につき作用、効果の説明を省略する。
【０２８９】
この発明の第２２、２３の実施形態では、図４８、４９に示すように、ケースＫに盗難防止タグＴを、また陳列ケースＫ′に盗難防止タグＴを設けておく。
【０２９０】
上記の盗難防止タグＴは、第６の実施形態と同様につき説明を省略する。
【０２９１】
すると、挿入部材４、３８に盗難防止タグがない場合、商品Ａや盗難防止対象物Ａ′の収納ずみケースＫや陳列ケースＫ′を店外に持ち出そうとしても検出することができる。
【０２９２】
この発明の第２４の実施形態では、図５０から図５４に示すように、箱体３１と、この箱体３１の開口を開閉するように箱体３１の一辺にヒンジ３４を介し設けた蓋体３３とで盗難防止対象物Ａ′の収納用陳列ケースＫ′を形成する。
【０２９３】
また、陳列ケースＫ′の所要位置に設けてある挿入口３７から陳列ケースＫ′に設けてある挿入路２０１としてのガイド手段Ｂ′により案内される挿入部材３８を挿入すると共に、この挿入部材３８と箱体３１及び蓋体３３とに掛合関係によって陳列ケースＫ′の開放阻止の掛合手段Ｄが設けてある。
【０２９４】
上記の掛合手段Ｄとしては、図示の場合（図５０、５２、５４に示す場合）、箱体３１と蓋体３３の突き合わせ周壁３６、３６の内面から相手側の周壁３６の裏面に突出する千鳥状のフック片２０２を設けて、挿入路２０１に挿入した挿入部材３８の周壁３６の裏面に対向する面の側縁に設けてある突出部２０４が引っかかって、閂の役目をする挿入部材３８により陳列ケースＫ′の開放を阻止するようにしたが、限定されず、例えば第３の実施形態の掛合手段Ｄを採用してもよい。要するに、挿入した挿入部材３８により陳列ケースＫ′の開放を阻止する。
【０２９５】
なお、図示の場合挿入部材３８に閂板２０５を設けて、挿入部材３８の挿入にともない箱体３１の周壁３６の長孔２０６に閂板２０５を貫通させ、蓋体３３の周壁３６の切欠き２０７に閂板２０５の縁を嵌入させて開放阻止をはかるようにしたが、限定されない。
【０２９６】
上記陳列ケースＫ′の構成、挿入路２０１を形成するガイド手段Ｂ′は、第３の実施形態と同様につき説明を省略する。
【０２９７】
上記の盗難防止対象物Ａ′は、第３の実施形態と同様につき説明を省略する。
【０２９８】
さらに、挿入部材３８と陳列ケースＫ′とには、挿入部材３８の挿入にともない押し戻され、挿入終了にともない係止関係になって挿入部材３８の抜き取りを阻止する係止手段Ｃが設けてある。
【０２９９】
上記係止手段Ｃの構成及び作用、挿入部材３８を引き抜くため解除具Ｘを用いた係止手段Ｃの係止関係を解除した状況下での挿入部材３８の引き抜き方法は、第１の実施形態と同様につき説明を省略する。
【０３００】
なお、貫通孔１４は、図示の場合箱体３１及び蓋体３３の両周壁３６、３６の突き合わせ縁を跨ぐように設けたが、限定されず、片方の周壁３６に設けることもある。
【０３０１】
また、挿入部材３８には、電源２１を保持する警報ブザー２２及び警報ブザー２２のＯＮ、ＯＦＦスイッチ２３が設けてあり、このスイッチ２３のＯＮ、ＯＦＦの切り替え作用体２１１を、挿入路２０１内に設けてある作用部２１２により挿入部材３８の脱出方向のスライドにともない一定の範囲ＯＮの状態にするようにしてある。
【０３０２】
この一定の範囲ＯＮにする状態は、図５３に示すように挿入路２０１に挿入ずみ挿入部材３８を若干脱出方向にスライドすると突出するレール条の作用部２１２に作用体２１１が乗り上げて作用体２１１を押し上げ、この押し上げが一定の範囲持続するようにしたが、図６１、６２に示すように作用部２１２を凹入する溝条に変更して、スイッチ２３の釦形式の作用体２１１が溝条に嵌り込んでスイッチ２３をＯＮにする切り替えができるようにしてもよい。
【０３０３】
なお、図示のようにレール条の作用部２１２の挿入口３７端を挿入部材３８の挿入方向に向け登り傾斜のテーパー部２１３としておくと、作用体２１１の引っかかりがなく、スムーズに挿入部材３８を挿入することができ、又作用部２１２が溝条の場合、溝条の両端に登り傾斜にして、釦形式の作用体２１１の溝部からの溝端への脱出をスムーズにする。
【０３０４】
図中２１４は盗難防止対象物Ａ′であるディスクのセンター孔の支持爪である。Ｔは盗難防止タグで、この盗難防止タグＴの作用効果は、第６の実施形態と同様につき説明を省略する。
【０３０５】
勿論、盗難防止タグＴは、挿入部材３８或いは陳列ケースＫ′のいずれかに設けておく。
【０３０６】
上記のように構成すると、陳列ケースＫ′に盗難防止対象物Ａ′を収納して、陳列ケースＫ′を閉鎖したのち、ガイド手段Ｂ′の案内によって挿入部材３８を挿入し、挿入終了時の係止手段Ｃの係止関係によって挿入部材３８の抜き取りを阻止して、陳列ケースＫ′の閉鎖維持をはかる。
【０３０７】
このとき、図５０に示すように作用部２１２の端に作用体２１１が位置して、作用体２１１を押し上げていないので、スイッチ２３は、ＯＦＦの状態になり、警報ブザー２２は鳴らない。
【０３０８】
しかしながら、顧客による係止手段Ｃの係止関係が図５７に示すように解除され、挿入部材３８を脱出方向にスライドさせると、作用部２１２に作用体２１１が図５９から図６０に示すように乗り上げてスイッチ２３がＯＮの状態になる。
【０３０９】
すると、警報ブザー２２が鳴り盗難を知らせる。
【０３１０】
このとき、躊躇して顧客により挿入部材３８を押し込むと、作用部２１２に対する作用体２１１の乗り上げがなくなる（図５９に示すように）ので作用体２１１によるスイッチ２３がＯＮからＯＦＦになって警報ブザー２２が止まる。
【０３１１】
すなわち、陳列ケースＫ′の開放を阻止して盗難防止対象物Ａ′の盗難を防止する。
【０３１２】
また、ショップ側の解除具Ｘを用いて係止手段Ｃの係止関係を解除し、解除下にショップ側で挿入部材３８を抜き取る。
【０３１３】
抜き取りにともない作用体２１１が作用部２１２に乗り上げて（釦形式の作用体２１１を押し戻してスイッチ２３をＯＮにすることもある）スイッチ２３がＯＮになって警報ブザー２２が鳴り、抜き取りの続行にともない作用部２１２から作用体２１１が外れてスイッチ２３をＯＦＦにし、このＯＦＦによって警報ブザー２２が止まる。
【０３１４】
抜き取った挿入部材３８は、ショップに回収されて再使用する。
【０３１５】
すると、陳列ケースＫ′の開放阻止がなくなると共に、陳列ケースＫ′を貸し出しや販売ケースとして使用する。
【０３１６】
なお、挿入部材３８の抜き取り時や挿入にともない作用部２１２により作用体２１１を作用させて一時的にスイッチ２３をＯＮにし、このＯＮによって警報ブザー２２が鳴ることにより電源２１の容量が残存する旨を知ることができる。
【０３１７】
警報ブザー２２が鳴らない場合や音が弱い場合、電源２１の容量がなくなっていることや容量が少なくなっている旨をショップ側で知ることができる。
【０３１８】
この発明の第２５の実施形態では、図５５及び図５６に示すように陳列用ケースＫの周囲一面には、商品Ａの出し入れ用の開口１が設けてある。
【０３１９】
上記ケースＫの構成及び商品Ａは、第１の実施形態と同様につき説明を省略する。
【０３２０】
また、ケースＫには、開口１から開口１の反対方向に向く挿入路２０１としてのガイド手段Ｂが設けてあり、このガイド手段Ｂにより案内させて挿入路２０１に挿入部材４を挿入し、この挿入部材４の末端（挿入方向の反対側端）には、挿入部材４の挿入終了にともない開口１の一部を閉鎖して商品Ａの抜き取りを阻止するストッパ６が設けてある。
【０３２１】
上記のガイド手段Ｂ及びストッパ６を有する挿入部材４は、第１の実施形態と同様につき説明を省略する。
【０３２２】
なお、図示の場合ピンヒンジ７を介しストッパ６を設けたが、ヒンジ７の有無は限定されず、ヒンジ７による作用効果は、第１の実施形態と同様につき説明を省略する。
【０３２３】
さらに、挿入部材４とケースＫ（挿入路２０１内）とには、挿入部材４の挿入にともない押し戻され、挿入終了にともない係止関係になって挿入部材４の抜き取りを阻止する係止爪１１と貫通孔１４とからなる係止手段Ｃが設けてある。
【０３２４】
上記係止手段の構成及び作用、挿入部材４を引き抜くための解除具Ｘを用いた係止手段Ｃの係止関係を解除した状況下での挿入部材４の引き抜き方法は、第１の実施形態と同様につき説明を省略する。
【０３２５】
さらに、挿入部材４は、第２４の実施形態と同様の電源２１を保持する警報ブザー２２及び警報ブザー２２のＯＮ、ＯＦＦスイッチ２３が設けてあり、このスイッチ２３のＯＮ、ＯＦＦの切り替え作用体２１１を、挿入路２０１内に設けてある作用部２１２により挿入部材４の脱出方向のスライドにともない一定の範囲ＯＮの状態にするようにしてある。
【０３２６】
上記の作用部２１２の構成及び作用体２１１と作用部２１２とによる作用並びに効果は、第２４の実施形態と同様につき説明を省略する。
【０３２７】
また、挿入部材４或いはケースＫのいずれか一方に盗難防止タグＴを設けておく。
【０３２８】
上記の盗難防止タグＴの作用効果は、第６の実施形態と同様につき説明を省略する。
【０３２９】
さらに、第２４及び第２５の実施形態の係止手段Ｃを構成する貫通孔１４を挿入部材３８、４のスライド方向に長い長孔としておく。
【０３３０】
この長孔の長さは、係止状態にある係止爪１１が長孔内で若干スライドする、すなわち、係止手段Ｃの係止関係の状況下で挿入部材３８、４の脱出方向の若干のスライドを許容するものである。
【０３３１】
すると、顧客により挿入部材３８、４を脱出方向に引っ張ってスライドさせると、図５９及び６０に示すように作用部２１２により作用体２１１を作用させてスイッチ２３をＯＮにするようにしてあるので、警報ブザー２２が鳴って、顧客に躊躇させることを目的とする。
【０３３２】
この発明の第２６の実施形態では、図６３から図６６に示すように、箱体３１と、この箱体３１の開口を開閉するように箱体３１の一辺にヒンジ３４を介し設けた蓋体３３とで盗難防止対象物Ａ′の収納用陳列ケースＫ′を形成する。
【０３３３】
また、陳列ケースＫ′の所要位置に設けてある挿入口３７から陳列ケースＫ′に設けてある挿入路２０１としてのガイド手段Ｂ′により案内される挿入部材３８を挿入すると共に、この挿入部材３８と箱体３１及び蓋体３３とに掛合関係によって陳列ケースＫ′の開放阻止の掛合手段Ｄが設けてある。
【０３３４】
上記の掛合手段Ｄとしては、図示の場合（図５０、５２、５４に示す場合）、箱体３１と蓋体３３の突き合わせ周壁３６、３６の内面から相手側の周壁３６の裏面に突出する千鳥状のフック片２０２を設けて、挿入路２０１に挿入した挿入部材３８の周壁３６の裏面に対向する面の側縁に設けてある突出部２０４が引っかかって、閂の役目をする挿入部材３８により陳列ケースＫ′の開放を阻止するようにしたが、限定されず、例えば第３の実施形態の掛合手段Ｄを採用してもよい。要するに、挿入した挿入部材３８により陳列ケースＫ′の開放を阻止する。
【０３３５】
なお、図示の場合挿入部材３８に閂板２０５を設けて、挿入部材３８の挿入にともない箱体３１の周壁３６の長孔２０６に閂板２０５を貫通させ、蓋体３３の周壁３６の切欠き２０７に閂板２０５の縁を嵌入させて開放阻止をはかるようにしたが、限定されない。
【０３３６】
上記陳列ケースＫ′の構成、挿入路２０１を形成するガイド手段Ｂ′は、第３の実施形態と同様につき説明を省略する。
【０３３７】
上記の盗難防止対象物Ａ′は、第３の実施形態と同様につき説明を省略する。
【０３３８】
さらに、挿入部材３８と陳列ケースＫ′とには、挿入部材３８の挿入にともない押し戻され、挿入終了にともない係止関係になって挿入部材３８の抜き取りを阻止する係止手段Ｃが設けてある。
【０３３９】
上記係止手段Ｃの構成及び作用、挿入部材３８を引き抜くため解除具Ｘを用いた係止手段Ｃの係止関係を解除した状況下での挿入部材３８の引き抜き方法は、第１の実施形態と同様につき説明を省略する。
【０３４０】
なお、貫通孔１４は、図示の場合箱体３１及び蓋体３３の両周壁３６、３６の突き合わせ縁を跨ぐように設けたが、限定されず、片方の周壁３６に設けることもある。
【０３４１】
また、挿入部材３８には、電源２１を保持する警報ブザー２２及び警報ブザー２２のＯＮ、ＯＦＦ用のスイッチ２３が設けてあり、このスイッチ２３のＯＮ、ＯＦＦ用の切り替え作用体２５１を、挿入部材３８の挿入にともない押し戻されてＯＮの状態となり、挿入部材３８の挿入終了にともない陳列ケースＫ′の壁に表裏面を貫通させて設けてある透孔２５２に上記作用体２５１の突出方向端が嵌り込んで、嵌り込みにともない作用体２５１の押し戻しの解除（復帰する）によりＯＦＦの状態となるようにしてある。
【０３４２】
上記の作用体２５１は、図示のように突出方向端が上昇する復帰力の付与揺動方式に限定されず、例えば突出方向の復帰力の付与出没釦方式であってもよい。
【０３４３】
上記の透孔２５２は、図示の場合係止部１４を有する周壁３６に設けたが、限定されず主壁３５に設けてもよい。
【０３４４】
このとき、作用体２５１も主壁３５側に位置させておく。
【０３４５】
上記のように構成すると、陳列ケースＫ′に盗難防止対象物Ａ′を収納して、陳列ケースＫ′を閉鎖したのち、ガイド手段Ｂ′の案内によって挿入部材３８を挿入し、挿入終了時の係止手段Ｃの係合関係によって挿入部材３８の引き抜きを、又掛合手段Ｄの掛合関係によって陳列ケースＫ′の開放が阻止される。
【０３４６】
このとき、透孔２５２に作用体２５１の突出方向端が嵌入して、作用体２５１の押し戻しがないため、スイッチ２３がＯＦＦになっている。
【０３４７】
この状況下で、顧客の把持した杆材などで透孔２５２内の作用体２５１を押し込むと、スイッチ２３がＯＮになって警報ブザー２２が鳴るので、ショップ側に盗難を知らせることになり、又罪悪感を与えて躊躇させる。
【０３４８】
なお、係止手段Ｃの係合関係の解除は、第１の実施形態（図６に示す）と同様にショップ側の解除具Ｘを用いて突起Ｙにより係止爪１１を押し戻し、また解除具Ｘの突起Ｙ′を透孔２５２に押し込んで、図６７に示すように透孔２５２から作用体２５１を脱出させ、脱出状況下に把持した撮み１０４を引っ張ってスライダ１０２を脱出方向にスライドさせる。
【０３４９】
すると、共に脱出方向に挿入部材３８をスライドさせ、スライドした挿入部材３８を引き抜いて、ショップに挿入部材３８を回収する。
【０３５０】
上記挿入部材３８の引き抜きに際し突起Ｙ′により作用体２５１を押し戻すので、スイッチ２３がＯＮになってブザー２２が鳴り、挿入部材３８の抜き取り完了にともない挿入路２０１での作用片２５１の押し戻しがなくなるので、スイッチ２３がＯＦＦになってブザー２２の警報が鳴らなくなる。
【０３５１】
なお、係止爪１１の係止関係を解除する解除具Ｘの構成及び作用は、第１の実施形態と同様につき説明を省略する。
【０３５２】
この発明の第２７の実施形態では、図６８及び図６９に示すように、陳列用ケースＫの周囲一面には、商品Ａの出し入れ用の開口１が設けてある。
【０３５３】
また、ケースＫには、開口１から開口１の反対方向に向く挿入部材４の挿入路としてのガイド手段Ｂが設けてある。
【０３５４】
さらに、挿入部材４の末端には、挿入部材４の挿入終了時に開口１の一部を閉鎖して商品Ａの抜き取りを阻止するストッパ６が設けてある。
【０３５５】
上記の商品Ａ、ケースＫ、ガイド手段Ｂ及びストッパ６の構成は、第１の実施形態と同様につき、又ピンヒンジ７の有無は、限定されず、ピンヒンジ７による作用効果は、第１の実施形態と同様につき説明を省略する。
【０３５６】
また、ケースＫ或いはガイド手段Ｂと挿入部材４との対向面には、挿入部材４の挿入終了にともない係止関係になって挿入部材４の脱出方向のスライドを止める係止手段Ｃが設けてある。
【０３５７】
上記係止手段Ｃ（係止爪１３と係止部１４とからなる）の構成、作用効果は、第１の実施形態と同様につき説明を省略する。
【０３５８】
さらに、挿入部材４には、第１、第２６の実施形態と同様に電源２１を保持する警報ブザー２２及び警報ブザー２２のスイッチ２３が設けてあり、このスイッチ２３のＯＮ、ＯＦＦ用の作用体２５１及び作用体２５１の突出方向端が嵌入する透孔２５２を周壁３に設けておく。勿論、側壁２に透孔２５２を設けて、側壁２側にスイッチ２３の作用体２５１を向けてもよい。
【０３５９】
上記作用体２５１及び透孔２５２の構成にともなう作用効果は、第２６の実施形態と同様につき説明を省略する。
【０３６０】
すると、作用体２５１と透孔２５２とによって第２６の実施形態と同様に特有な効果を発揮する。
【０３６１】
また、上記の挿入部材４、３８或いは陳列ケースＫ′、ケースＫのいずれか片方に盗難防止タグＴを設けて、ショップ外への持ち出しを検出する。
【０３６２】
上記盗難防止タグＴの構成及び作用効果は、第６の実施形態と同様につき説明を省略する。
【０３６３】
上記のタグＴは、図示の場合、挿入部材４、３８に設けたが限定されず、陳列ケースＫ′、又はケースＫに設けることもできる。
【０３６４】
なお、解除は第２６の実施形態と同様につき説明を省略し、又挿入部材４が脱出方向に１ピッチスライドし、ストッパ６のピンヒンジ７がガイド手段Ｂから脱出した状況下にあっては、作用体２５１が係止部１４に嵌入するので、スイッチ２３がＯＦＦになってブザー２２の警報が鳴らなくなる。
【０３６５】
また、作用体２５１とスイッチ２３との関係を、作用体２５１の押し込み量が大きいとスイッチ２３がＯＮになってブザー２２が鳴り、押し込み量が少ないと（押し込みが途中迄の場合）、スイッチ２３がＯＦＦの状態でブザー２２が鳴らないようにしておく。
【０３６６】
すると、透孔２５２から脱出するように作用体２５１を押し込むとスイッチ２３がＯＮになってブザー２２の警報が鳴り、挿入部材３８の脱出方向のスライド時挿入路２０１内の作用体２５１の押し込み量（挿入路２０１の内面との当接による）をブザー２２が鳴らないようにしておくと（例えば、図７０に示すように挿入路２０１を形成する周壁３などの作用体２５１の突出端と対向する内面に設けてある溝３０１に作用体２５１の突出端が嵌り込むなどして）、初期や途中での顧客による作用体２５１の押し込み操作時のみスイッチ２３がＯＮになってブザー２２を鳴るようにすることができる。
【０３６７】
勿論、溝３０１は、挿入部材３８の１ピッチの脱出方向の範囲など、所定の範囲に設け、又上記の溝３０１は、第２７の実施形態に限定されず、第２６の実施形態に設けることもできる。
【０３６８】
この発明の第２８の実施形態では、図７１から図７４に示すように、周囲の一面に商品Ａの出し入れ用の開口１を有するケースＫと、このケースＫに上記開口１から開口１の反対方向に設けた挿入路としてのガイド手段Ｂと、このガイド手段Ｂにより案内されて挿入する挿入部材４と、この挿入部材４の開口１側端に設けたストッパ６と、ケースＫ或いはガイド手段Ｂと挿入部材４との対向面に挿入部材４の挿入終了にともない係合関係になって挿入部材４の抜き取りを阻止する係止手段Ｃとから盗難防止装置を構成する。
【０３６９】
上記のケースＫ、ガイド手段Ｂ、係止手段Ｃ、挿入部材４のストッパ６の構成及び作用は、第１の実施形態と同様につき説明を省略する。
【０３７０】
勿論、ストッパ６は、ピンヒンジ７を介し設けたものに限定されず、挿入部材４の脱出端を上方に無理矢理引き上げて、商品Ａとストッパ６との衝突を回避してもよい。そしてケースＫも図１（第１の実施形態の）に限定されず、図２０（第８の実施形態）に示すものであってもよい。
【０３７１】
また、上記の挿入部材４には、第１の実施形態と同様に電源（電池）２１を保持する警報ブザー２２及び警報ブザー２２のＯＮ、ＯＦＦスイッチ２３が設けてある。
【０３７２】
さらに、挿入部材４に二叉状作用体４０１の連結部分をピン４０２を介し回動自在に支持すると共に、この作用体４０１の一方の作用片４０３をガイド手段Ｂの仕切壁５に設けてある貫孔２６に嵌入させて、挿入部材４の挿入終了状況下にケースＫに収納した商品Ａと接触して押し戻され（図７３に示すように押し上げられる）、もう片方の作用片４０４をスイッチ２３の釦２４に当接させて、押し戻される片方の作用片４０３と共に押し戻されたもう片方の作用片４０４により釦２４をプッシュするので、スイッチ２３がＯＦＦになるようにしてある。
【０３７３】
上記の作用体４０１は、図示の場合、鋼線の中間部分を螺旋状に巻回して設けた巻回部４０５にピン４０２を貫通させて取付け、この取付けにより両作用片４０３、４０４を同方向に突出させてあるが、上記の鋼線にかえて弾力性のある合成樹脂製の成形品などを使用することもある。
【０３７４】
図中５０１は、一端の引っかかり部５０２と他端の掛止孔５０３に掛止爪５０４を掛止させて取付けたカバーである。
【０３７５】
上記のように構成すると、ケースＫに商品Ａを収納したのち、挿入部材４を挿入終了位置迄挿入しておくとこで、係止手段Ｃの係止関係によって挿入部材４の引き抜きが阻止されると共に、開口１の一部を閉鎖するストッパ６によりケースＫからの商品Ａの抜き取りが阻止され、又ショップ外へのケースＫの持ち出しを挿入部材４に設けてあるタグＴによって検出する。
【０３７６】
このとき、図７３に示すように、貫孔２６に嵌入した一方の作用片４０３と収納商品Ａとの当接によって一方の作用片４０３が押し戻され、この押し戻しによりもう片方の作用片４０４を押し戻して、スイッチ２３をプッシュするので、スイッチ２３がＯＦＦになって警報ブザー２２が鳴らない。
【０３７７】
この状態でケースＫを破損して、ケースＫから商品Ａを抜き取ると、商品Ａによる片方の作用片４０３の押し戻しがなくなって、もう片方の作用片４０４による釦２４のプッシュがなくなってスイッチ２３がＯＮになり、このＯＮによって警報ブザー２２が鳴って盗難を知らせる。
【０３７８】
次に、図７５、７６に示すようにショップ側の解除具Ｘによって係止手段Ｃの係止関係を解除する。
【０３７９】
上記解除具Ｘによる解除は、第１の実施形態と同様につき説明を省略する。
【０３８０】
解除後に撮み１０４を把持して手前（図７５左方向）にスライダ１０２を引き寄せると、スライダ１０２の突起１０３がストッパ６に引っかかって挿入部材４を脱出方向にスライドさせて、ピンヒンジ７がガイド手段Ｂから脱出し、この脱出によってストッパ６を図７８に示すように開口１の一部を閉鎖しない状態に退避させることで、ショップ側でケースＫから商品Ａを抜き取り、抜き取った商品Ａを貸し出しや販売する。
【０３８１】
このとき、図７６、７７に示すように挿入部材４の１ピッチなどの脱出方向のスライドにともない、ガイド手段Ｂの内面（図示の場合、仕切壁５の内面）に貫孔２６から脱出した一方の作用片４０３が当接して、もう一方の作用片４０４により釦２４をプッシュしているので、警報ブザー２２が鳴らない。
【０３８２】
この状況下で、押入部材４を若干没入方向にスライドさせる。
【０３８３】
すると、ガイド手段Ｂ内にあって押し戻していた一方の作用片４０３が図７８に示すように貫孔２６内に落ち込み、この落ち込みによってもう片方の作用片４０４による釦２４のプッシュがなくなって、スイッチ２３がＯＮになって警報ブザー２２が鳴る。
【０３８４】
警報ブザー２２が鳴ることによって電源２１の容量の有無を確認することができる。
【０３８５】
なお、例えば第３、第１２、第２４の実施形態の挿入部材３８に、上述の第２８の実施形態の二叉状作用体４０１を使用し、釦２４にもう片方の作用体４０４を作用させるようにし、貫孔２６に片方の作用体４０３を嵌入させることで（図示省略）、電源２１（電池）の有無を確認できるようにすることもできる。
【０３８６】
なお、各実施形態の保持電源２１は、ショップ側で交換できるようになっている。
【０３８７】
また、図７９から図８１に示すように、第２８の実施形態の周壁３の釦２４の図示直上に第１透孔５０１を、挿入部材４の釦２４の図示直上に第２透孔５０２を設けておく。
【０３８８】
この第１透孔５０１及び第２透孔５０２は、挿入部材４の挿入終了状況下に図示上下で合致するようになっている。
【０３８９】
さらに、ショップ側には、確認具５０３が用意されている。
【０３９０】
この確認具５０３は、図８０に示すように、陳列用ケースＫのコーナーに図示の上方から正確な位置決めのために嵌装する嵌合体５０４と、この嵌合体５０４の第１透孔５０１を有する周壁３に重なる壁の裏面から突出して、合致している第１透孔５０１、第２透孔５０２に貫通する押軸５０５とで構成され、押軸５０５の突出長さは、嵌合体５０４の嵌合終了下に釦２４をプッシュして、スイッチ２３をＯＮにし、このスイッチ２３のＯＮによって警報ブザー２２が鳴る。
【０３９１】
すると、図８１に示すように、ショップ側の確認具５０３の押軸５０５を第１透孔５０１から第２透孔５０２に嵌入することで、押軸５０５の先端により釦２４をプッシュするので（釦２４を図８１の鎖線位置から実線位置に）、スイッチ２３がＯＮになって警報ブザー２２がなるので、電源２１の有無をショップ側で確認することができる。
【０３９２】
確認後には、確認具５０３を取り外してショップ側に回収する。
【０３９３】
すると、ケースＫから挿入部材４を抜き取って電源２１の容量の有無を検査するわずらわしい作業が不要になる効果がある。
【０３９４】
また、陳列時に顧客が第１透孔５０１から第２透孔５０２に杆材を押し込むと、釦２４をプッシュするので、スイッチ２３がＯＮになって警報ブザー２２が鳴って盗難を知らせる効果があり、杆材の押し込み量が多く、かつ作用片４０４が何らかの原因により復帰しないと警報ブザー２２がなりつづける（杆材を引か抜いても）効果もある。
【０３９５】
鳴りつづける警報ブザー２２を止めるには、ショップ側の解除具Ｘにより挿入部材４を脱出方向にスライドさせ、その後に挿入部材４を戻すと共に戻る。
【０３９６】
勿論、上述の電源２１の容量の有無の確認を陳列用ケースＫに限定されず、例えば第３、１２、２４の実施形態の陳列ケースＫ′の挿入部材３８に第２８の実施形態の二叉状作用体４０１を使用（図示省略）して、電源２１の有無を確認するようにすることもできる。
【図面の簡単な説明】
【０３９７】
【図１】この発明の第１の実施形態を示す分解斜視図
【図２】同上の挿入部材の斜視図
【図３】ケースに挿入部材を挿入した一部切欠側面図
【図４】ケースに商品を収納した一部切欠側面図
【図５】同上の縦断正面図
【図６】解除を示す一部切欠側面図
【図７】挿入部材を引き出した一部切欠側面図
【図８】ケースから商品を脱出方向にスライドさせた一部切欠側面図
【図９】第２の実施形態を示す一部切欠側面図
【図１０】第３の実施形態を示す分解斜視図
【図１１】ケースの展開斜視図
【図１２】ケースに挿入部材を挿入した一部切欠側面図
【図１３】同上の一部切欠正面図
【図１４】第４の実施形態を示す一部切欠側面図
【図１５】第５の実施形態を示す縦断側面図
【図１６】第７の実施形態を示す分解斜視図
【図１７】ケースに挿入部材を挿入した一部切欠側面図
【図１８】第８の実施形態を示す分解斜視図
【図１９】ケースに挿入部材を挿入した一部切欠側面図
【図２０】ケースの他の例を示す斜視図
【図２１】第９の実施形態を示す縦断側面図
【図２２】同上の要部を示す縦断拡大側面図
【図２３】同縦断拡大正面図
【図２４】第１０の実施形態を示す縦断側面図
【図２５】同上の要部を示す縦断拡大側面図
【図２６】同縦断拡大正面図
【図２７】第１１の実施形態を示す縦断側面図
【図２８】同上の要部を示す縦断拡大正面図
【図２９】第１２の実施形態を示す縦断側面図
【図３０】同上の要部は示す縦断拡大正面図
【図３１】第１３の実施形態の要部を示す斜視図
【図３２】同上の縦断側面図
【図３３】第１４の実施形態を示す縦断側面図
【図３４】第１５の実施形態を示す斜視図
【図３５】同上の縦断側面図
【図３６】第１６の実施形態を示す縦断側面図
【図３７】第１７の実施形態を示す斜視図
【図３８】同上の縦断側面図
【図３９】同縦断正面図
【図４０】第１８の実施形態を示す縦断側面図
【図４１】同上の縦断正面図
【図４２】第１９の実施形態を示す斜視図
【図４３】同上の縦断側面図
【図４４】同縦断正面図
【図４５】第２０の実施形態を示す縦断側面図
【図４６】同上の縦断正面図
【図４７】商品により障害片を押し戻した縦断正面図
【図４８】第２２の実施形態のケースを示す斜視図
【図４９】第２３の実施形態の陳列ケースを示す斜視図
【図５０】第２４の実施形態を示す斜視図
【図５１】挿入部材の斜視図
【図５２】ケースと挿入部材との斜視図
【図５３】同一部切欠側面図
【図５４】同上の縦断背面図
【図５５】第２５の実施形態を示す分解斜視図
【図５６】同上の縦断側面図
【図５７】第２４、２５の実施形態の要部を示す一部切欠側面図
【図５８】同上の作用を示す一部切欠側面図
【図５９】同上の貫通孔の例を示す一部切欠側面図
【図６０】同作用を示す一部切欠側面図
【図６１】作用部の他の例を示す一部切欠側面図
【図６２】同上の作用を示す一部切欠側面図
【図６３】第２６の実施形態を示す陳列ケースの斜視図
【図６４】挿入部材の斜視図
【図６５】同上の斜視図
【図６６】同一部切欠側面図
【図６７】解除を示す一部切欠側面図
【図６８】第２７の実施形態を示す分解斜視図
【図６９】同一の一部切欠側面図
【図７０】作用体の出没を示す一部切欠側面図
【図７１】第２８の実施形態を示す分解斜視図
【図７２】同上に使用する挿入部材の分解斜視図
【図７３】同上の要部を示す一部切欠側面図
【図７４】同上の縦断背面図
【図７５】解除具の使用を示す縦断側面図
【図７６】解除した状態の縦断側面図
【図７７】ストッパの衝突回避を示す縦断側面図
【図７８】電源の有無を確認する状態の縦断側面図
【図７９】電源の容量の有無を知る他の例を示す一部切欠側面図
【図８０】ショップ側の確認具の斜視図
【図８１】確認具の使用を示す拡大側面図
【符号の説明】
【０３９８】
Ｋ、Ｋ′          陳列用ケース
Ａ                商品
Ａ′              盗難防止対象物
Ｂ、Ｂ′          ガイド手段
Ｃ                係止手段
Ｄ                掛合手段
Ｔ                タグ
１                開口
２                側壁
３                周壁
４                挿入部材
５                仕切壁
６                ストッパ
７                ピンヒンジ
１０              切り込み
１１、１３        係止爪
１２              鉄片
１４              係止部
２１              電源
２２              警報ブザー
２３              スイッチ
２４              釦
２５              作用片
２６              貫孔
３１              箱体
３３              蓋体
３４              ヒンジ
３５              主壁
３６              周壁
３７              挿入口
３８              挿入部材
３９              連結壁
４０              突出条
５１              透孔
６１              係止爪
６２              貫通孔
６３              係止爪
６４              係合部
１０１            ストッパ
１１１            杆や棒材
１２１            ストッパ突部
１３１            障害部
１３２            尖部
１４１            障害片
１４２            切り込み
１４３            ヒンジ
１４４            傾斜縁部
２０１            挿入路
２０２            フック片
２０４            突出部
２０５            閂板
２０６            長孔
２０７            切欠き
２１１            作用体
２１２            作用部
２１３            テーパー部
２１４            支持爪
２５１            作用体
２５２            透孔
３０１            溝
４０１            作用体
４０２            ピン
４０３、４０４    作用片
４０５            巻回部
【図１】
2007141198.tif 000003
【図２】
2007141198.tif 000004
【図３】
2007141198.tif 000005
【図４】
2007141198.tif 000006
【図５】
2007141198.tif 000007
【図６】
2007141198.tif 000008
【図７】
2007141198.tif 000009
【図８】
2007141198.tif 000010
【図９】
2007141198.tif 000011
【図１０】
2007141198.tif 000012
【図１１】
2007141198.tif 000013
【図１２】
2007141198.tif 000014
【図１３】
2007141198.tif 000015
【図１４】
2007141198.tif 000016
【図１５】
2007141198.tif 000017
【図１６】
2007141198.tif 000018
【図１７】
2007141198.tif 000019
【図１８】
2007141198.tif 000020
【図１９】
2007141198.tif 000021
【図２０】
2007141198.tif 000022
【図２１】
2007141198.tif 000023
【図２２】
2007141198.tif 000024
【図２３】
2007141198.tif 000025
【図２４】
2007141198.tif 000026
【図２５】
2007141198.tif 000027
【図２６】
2007141198.tif 000028
【図２７】
2007141198.tif 000029
【図２８】
2007141198.tif 000030
【図２９】
2007141198.tif 000031
【図３０】
2007141198.tif 000032
【図３１】
2007141198.tif 000033
【図３２】
2007141198.tif 000034
【図３３】
2007141198.tif 000035
【図３４】
2007141198.tif 000036
【図３５】
2007141198.tif 000037
【図３６】
2007141198.tif 000038
【図３７】
2007141198.tif 000039
【図３８】
2007141198.tif 000040
【図３９】
2007141198.tif 000041
【図４０】
2007141198.tif 000042
【図４１】
2007141198.tif 000043
【図４２】
2007141198.tif 000044
【図４３】
2007141198.tif 000045
【図４４】
2007141198.tif 000046
【図４５】
2007141198.tif 000047
【図４６】
2007141198.tif 000048
【図４７】
2007141198.tif 000049
【図４８】
2007141198.tif 000050
【図４９】
2007141198.tif 000051
【図５０】
2007141198.tif 000052
【図５１】
2007141198.tif 000053
【図５２】
2007141198.tif 000054
【図５３】
2007141198.tif 000055
【図５４】
2007141198.tif 000056
【図５５】
2007141198.tif 000057
【図５６】
2007141198.tif 000058
【図５７】
2007141198.tif 000059
【図５８】
2007141198.tif 000060
【図５９】
2007141198.tif 000061
【図６０】
2007141198.tif 000062
【図６１】
2007141198.tif 000063
【図６２】
2007141198.tif 000064
【図６３】
2007141198.tif 000065
【図６４】
2007141198.tif 000066
【図６５】
2007141198.tif 000067
【図６６】
2007141198.tif 000068
【図６７】
2007141198.tif 000069
【図６８】
2007141198.tif 000070
【図６９】
2007141198.tif 000071
【図７０】
2007141198.tif 000072
【図７１】
2007141198.tif 000073
【図７２】
2007141198.tif 000074
【図７３】
2007141198.tif 000075
【図７４】
2007141198.tif 000076
【図７５】
2007141198.tif 000077
【図７６】
2007141198.tif 000078
【図７７】
2007141198.tif 000079
【図７８】
2007141198.tif 000080
【図７９】
2007141198.tif 000081
【図８０】
2007141198.tif 000082
【図８１】
2007141198.tif 000083